【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
ＩＣＳユーザフレームはアクセス制御装置１から入力してＩＣＳネットワークフレームとなり、前記ＩＣＳネットワークフレームはＩＣＳ網通信回線を転送されてアクセス制御装置２に到達して前記ＩＣＳユーザフレームが復元され、前記ＩＣＳ網通信回線は前記アクセス制御装置１のＩＣＳ論理端子識別情報、送信者ＩＣＳユーザアドレス及び受信者ＩＣＳユーザアドレスの組が定まると一意に定まり、前記ＩＣＳ論理端子識別情報、前記送信者ＩＣＳユーザアドレス、前記受信者ＩＣＳユーザアドレスの組のいずれかが変化したときに前記ＩＣＳ網通信回線が変化可能であり、前記ＩＣＳネットワークフレームは少なくとも着信アドレスを含み、更に発信アドレスを含むことも可能であり、２以上のＩＣＳユーザフレームに対して２以上のＩＣＳ網通信回線が定まり、前記２以上のＩＣＳ網通信回線の集合で成るＩＰフレーム送受機能を有することを特徴とするＩＰ通信網。
【請求項２】
ＩＣＳユーザフレームはアクセス制御装置１から入力してＩＣＳネットワークフレームとなり、前記ＩＣＳネットワークフレームはＩＣＳ網通信回線を転送されてアクセス制御装置２に到達して前記ＩＣＳユーザフレームが復元され、前記ＩＣＳ網通信回線は前記アクセス制御装置１のＩＣＳ論理端子識別情報及び受信者ＩＣＳユーザアドレスの組が定まると一意に定まり、前記ＩＣＳ論理端子識別情報、前記送信者ＩＣＳユーザアドレス、前記受信者ＩＣＳユーザアドレスの組のいずれかが変化したときに前記ＩＣＳ網通信回線が変化可能であり、前記ＩＣＳネットワークフレームは少なくとも着信アドレスを含み、更に発信アドレスを含むことも可能であり、２以上のＩＣＳユーザフレームに対して２以上のＩＣＳ網通信回線が定まり、前記２以上のＩＣＳ網通信回線の集合で成るＩＰフレーム送受機能を有することを特徴とするＩＰ通信網。
【請求項３】
ＩＣＳユーザフレームはアクセス制御装置１から入力してＩＣＳネットワークフレームとなり、前記ＩＣＳネットワークフレームはＩＣＳ網通信回線を転送されてアクセス制御装置２に到達して前記ＩＣＳユーザフレームが復元され、前記ＩＣＳ網通信回線は前記アクセス制御装置１のＩＣＳ論理端子識別情報が定まると一意に定まり、前記ＩＣＳ論理端子識別情報、前記送信者ＩＣＳユーザアドレス、前記受信者ＩＣＳユーザアドレスの組のいずれかが変化したときに前記ＩＣＳ網通信回線が変化可能であり、前記ＩＣＳネットワークフレームは少なくとも着信アドレスを含み、更に発信アドレスを含むことも可能であり、２以上のＩＣＳユーザフレームに対して２以上のＩＣＳ網通信回線が定まり、前記２以上のＩＣＳ網通信回線の集合で成るＩＰフレーム送受機能を有することを特徴とするＩＰ通信網。
【請求項４】
固有のＩＣＳユーザアドレス体系ＡＤＸを持つ外部のＩＣＳユーザフレームが、アクセス制御装置内の変換表の管理の基にＩＣＳネットワークアドレス体系ＡＤＳを有する内部のＩＣＳネットワークフレームに変換され、前記ＩＣＳネットワークフレームはネットワーク制御部及びネットワークデータ部で成り、前記ネットワーク制御部は前記ＩＣＳネットワークアドレス体系ＡＤＳに従うアドレスを格納し、前記ネットワークデー夕部は前記ＩＣＳユーザフレームを含み、前記ＩＣＳネットワークフレームは、前記ＩＣＳネットワークアドレス体系ＡＤＳのルールに従って内部を送信され、前記ＩＣＳユーザフレームが前記ＩＣＳネットワークフレームから復元されて外部の他の情報通信機器に転送されるようになっており、内部のアドレス体系は外部のアドレス体系とは関係なく定められており、ＩＣＳ論理端子に前記ＩＣＳネットワークアドレスが付与され、ＩＣＳ論理端子識別情報、送信者ＩＣＳユーザアドレス及び受信者ＩＣＳユーザアドレスの組が定まれば、着信ＩＣＳネットワークアドレスが一意に定まるように前記変換表のレコードとして登録されており、前記ＩＣＳユーザフレームが入力したＩＣＳ論理端子の識別情報、前記ＩＣＳユーザフレーム内の送信者ＩＣＳユーザアドレス及び受信者ＩＣＳユーザアドレスが共に前記変換表のレコードに登録されていることが見出されたときに、前記ＩＣＳユーザフレームが前記ＩＣＳネットワークフレームに変換されるようになっているＩＰ通信網において、変換表サーバが設けられ、前記変換表サーバが、前記ＩＣＳユーザフレームから得た情報を基に形成する変換表新規項目を前記変換表に登録するようになっていることを特徴とするＩＰ通信網。
【請求項５】
送信ＩＣＳユーザフレームがユーザ通信回線の終端のＩＣＳ論理端子から入力し、発信側のＩＣＳ論理端子識別情報と送信ＩＣＳユーザフレーム内部の受信者ＩＣＳユーザアドレスの組が定まれば、発信側のアクセス制御装置と着信側のアクセス制御装置との間にＩＣＳネットワークフレームが転送されるＩＣＳ網通信回線が定まるようになっているＩＰ通信網において、変換表サーバが設けられ、前記変換表サーバが、前記ＩＣＳユーザフレームから得た情報を基に形成する変換表新規項目を前記変換表に登録するようになっていることを特徴とするＩＰ通信網。
【請求項６】
２以上のアクセス制御装置を含み、送信ＩＣＳユーザフレームがユーザ通信回線の終端のＩＣＳ論理端子から入力し、前記送信ＩＣＳユーザフレームは発信側のアクセス制御装置においてＩＣＳネットワークフレームとなり、前記ＩＣＳネットワークフレームは通信網内を転送されて着信側のアクセス制御に到達し、前記ＩＣＳネットワークフレームは前記着信側のアクセス制御において前記ＩＣＳユーザフレームとして復元されるようになっており、電話通信を行うとき、電話番号を基に通信相手先のＩＣＳユーザアドレスを取得し、ＩＣＳユーザフレームに音声を載せるようになっていることを特徴とするＩＰ通信網。
【請求項７】
２以上のアクセス制御装置を含み、送信ＩＣＳユーザフレームがユーザ通信回線の終端のＩＣＳ論理端子から入力し、前記送信ＩＣＳユーザフレームは発信側のアクセス制御装置においてＩＣＳネットワークフレームとなり、前記ＩＣＳネットワークフレームは通信網内を転送されて着信側のアクセス制御装置に到達し、前記ＩＣＳネットワークフレームは前記着信側のアクセス制御装置において、ＩＣＳユーザフレームを電波形式のＩＣＳユーザフレームに変換して送信する機能及び電波形式のＩＣＳユーザフレームを受信して、ＩＣＳユーザフレームに逆変換する機能を有する第１の無線送受信機をアクセス制御装置に接続し、前記機能と同一の機能を有する第２の無線送受信機を内蔵するＩＰ端末との間で通信を行うようになっていることを特徴とするＩＰ通信網。
【請求項８】
ＩＰ通信網は、通信回線を経て２以上の端末と常時接続され、前記端末は公衆電話網を経由したダイヤルアップ接続による前記ＩＰ通信網への接続を行わず、インターネットプロトコルを用いて前記端末間で前記ＩＰ通信網を経由して通信を行うために、宛先端末と通信を行うためのＩＰアドレスを特定する方法であり、前記宛先端末の電話番号を基に前記宛先端末と通信を行うためのＩＰアドレスを特定するようになっていることを特徴とする通信方法。
【請求項９】
ＩＰ通信網は、通信回線を経て２以上の端末と常時接続され、前記端末は公衆電話網を経由したダイヤルアップ接続による前記ＩＰ通信網への接続を行わず、インターネットプロトコルを用いて前記端末間で前記ＩＰ通信網を経由して通信を行う方法であり、前記宛先端末の電話番号を基に前記宛先端末と通信を行うためのＩＰアドレスを特定する工程と、前記特定したＩＰアドレスを用いて前記宛先端末と通信を行う工程とを備えたことを特徴とする通信方法。
【請求項１０】
ＩＰ通信網は、通信回線を経て２以上の端末と常時接続されると共に、電話番号を基にＩＰアドレスを特定する機能を備えるサーバと通信接続され、前記端末は公衆電話網を経由したダイヤルアップ接続による前記ＩＰ通信網への接続を行わず、インターネットプロトコルを用いて前記端末間で前記ＩＰ通信網を経由して通信を行うために宛先端末と通信を行うためのＩＰアドレスを特定する方法であり、前記宛先端末の電話番号を基に、前記サーバを用いて前記宛先端末と通信を行うためのＩＰアドレスを特定するようにしたことを特徴とする通信方法。
【請求項１１】
ＩＰ通信網は、通信回線を経て２以上の端末と常時接続されると共に、電話番号を基にＩＰアドレスを特定する機能を備えるサーバと通信接続され、前記端末は公衆電話網を経由したダイヤルアップ接続による前記ＩＰ通信網への接続を行わず、インターネットプロトコルを用いて前記端末間で前記ＩＰ通信網を経由して通信を行う方法であり、前記宛先端末の電話番号を基に、前記サーバを用いて前記宛先端末と通信を行うためのＩＰアドレスを特定する工程と、前記特定したＩＰアドレスを用いて前記宛先端末と通信を行う工程とを備えたことを特徴とする通信方法。
【請求項１２】
ＩＰ通信網は、通信回線を経て２以上の端末と常時接続されると共に、電話番号を基にＩＰアドレスを特定する機能を備えるサーバと通信接続され、前記端末は公衆電話網を経由したダイヤルアップ接続による前記ＩＰ通信網への接続を行わず、前記ＩＰ通信網において、前記サーバが問合せ元の端末から前記宛先端末と通信を行うためのＩＰアドレスを特定するために、前記宛先端末の電話番号を含むＩＰパケットを受取る工程と、前記受取ったＩＰパケット内の前記電話番号を基に前記宛先端末と通信を行うためのＩＰアドレスを特定する工程と、前記問合せ元の端末に対し、前記特定されたＩＰアドレスを含むＩＰパケットを返信する工程とを備えたことを特徴とする通信方法。
【請求項１３】
前記サーバがドメインネームサーバである請求項１０乃至１２のいずれかに記載の通信方法。
【請求項１４】
ＩＰ通信網は、通信回線を経て２以上の端末と常時接続されると共に、電話番号を基にＩＰアドレスを特定する機能を備えるサーバと通信接続され、前記端末は公衆電話網を経由したダイヤルアップ接続による前記ＩＰ通信網への接続を行わず、前記ＩＰ通信網において、前記サーバが問合せ元の端末から前記宛先端末と通信を行うためのＩＰアドレスを特定するために、前記宛先端末の電話番号を含むＩＰパケットを受取る工程と、前記受取った前記ＩＰパケット内の電話番号を基に前記宛先端末と通信を行うためのＩＰアドレスを特定する工程と、前記問合せ元の端末に対し、前記特定されたＩＰアドレスを含むＩＰパケットを返信する工程とを備える第１手順と、前記宛先端末に付与された電話番号を基にＩＰアドレスを特定することを目的として、前記端末が前記宛先端末の電話番号を含むＩＰパケットを前記サーバに送出する工程と、前記サーバから前記宛先端末の電話番号を基に特定されたＩＰアドレスが含まれたＩＰパケットを受取る工程と、前記受取った宛先端末の電話番号を基に特定されたＩＰアドレスを用いて、前記端末が宛先端末と通信を行う工程とを備える第２手順とを含むことを特徴とする通信方法。
【請求項１５】
ＩＰ通信網はドメインネームサーバ及び２以上の端末と接続され、前記ドメインネームサーバは電話番号を基にＩＰアドレスを特定する機能を備え、インターネットプロトコルを用いて前記ＩＰ通信網を経由して端末間で通信を行うために宛先端末と通信を行うためのＩＰアドレスを特定する方法であり、前記ドメインネームサーバを用いて、前記宛先端末の電話番号を基に前記宛先端末と通信を行うためのＩＰアドレスを特定するようにしたことを特徴とする通信方法。
【請求項１６】
ＩＰ通信網はドメインネームサーバ及び２以上の端末と接続され、前記ドメインネームサーバは電話番号を基にＩＰアドレスを特定するための情報と、前記情報を用いて電話番号を基に宛先端末と通信を行うためのＩＰアドレスを特定する機能を備え、インターネットプロトコルを用いて前記ＩＰ通信網を経由して端末間で通信を行うために前記宛先端末と通信を行うためのＩＰアドレスを特定する方法であり、前記情報を形成する工程と、前記形成得された情報及び前記機能を用いて前記宛先端末と通信を行うためのＩＰアドレスを特定する工程とを具備したことを特徴とする通信方法。
【請求項１７】
ＩＰ通信網は２以上の端末と通信接続され、前記端末間で前記ＩＰ通信網を経由してインターネットプロトコルを用いて通信を行うときに、電話番号を基にＩＰアドレスを特定する機能を含むドメインネームサーバを用いて、宛先端末のＩＰアドレスを特定して通信を行う方法であり、前記宛先端末の電話番号を基に前記宛先端末と通信を行うためのＩＰアドレスを特定するためのドメインネームを形成する工程と、前記形成したドメインネームを用いて前記宛先端末と通信を行うためのＩＰアドレスを特定する工程とを備えたことを特徴とする通信方法。
【請求項１８】
ＩＰ通信網はドメインネームサーバ及び２以上の端末と通信接続され、前記端末間で前記ＩＰ通信網を経由してインターネットプロトコルを用いて通信を行うときに、電話番号を基にＩＰアドレスを特定するための情報と、前記情報を用いて電話番号を基に宛先端末と通信を行うためのＩＰアドレスを特定する機能を含むドメインネームサーバを用いて前記宛先端末と通信を行うためのＩＰアドレスを特定して通信を行う方法であり、前記端末の電話番号を基に前記情報を形成する工程と、前記ドメインネームサーバが前記形成した情報及び前記機能を用いて前記宛先端末と通信を行うためのＩＰアドレスを特定する工程と、前記特定したＩＰアドレスを用いて前記端末が前記宛先端末と通信を行う工程とを備えたことを特徴とする通信方法。
【請求項１９】
ＩＰ通信網は通信回線を経て２以上の端末と常時接続され、前記端末は公衆電話網を経由したダイヤルアップ接続による前記ＩＰ通信網への接続を行わず、前記端末から送られた電話番号を基にＩＰアドレスを特定する機能を含み、インターネットプロトコルを用いて前記ＩＰ通信網を経由して前記端末間で通信を行う方法であり、宛先端末の電話番号を基に前記宛先端末と通信を行うためＩＰアドレスを特定することを目的として、前記端末が前記宛先端末の電話番号を含むＩＰパケットを前記ＩＰ通信網に送出する工程と、前記ＩＰ通信網から前記宛先端末の電話番号を基に特定された前記宛先端末と通信を行うためのＩＰアドレスを含むＩＰパケットを受取る工程と、前記受取ったＩＰパケット内の前記特定されたＩＰアドレスを用いて前記端末が前記宛先端末と通信を行う工程とを備えたことを特徴とする通信方法。
【請求項２０】
ＩＰ通信網は通信回線を経て２以上の端末と常時接続され、前記端末から送られた電話番号を基にＩＰアドレスを特定する機能を備えたサーバと通信接続され、前記端末は公衆電話網を経由したダイヤルアップ接続による前記ＩＰ通信網への接続を行わず、インターネットプロトコルを用いて前記ＩＰ通信網を経由して前記端末間で通信を行う方法であり、前記端末が、宛先端末に付与された電話番号を含むＩＰパケットを前記サーバに送出する工程と、前記サーバが受取ったＩＰパケットに含まれる前記宛先端末の電話番号を基に前記宛先端末と通信を行うためのＩＰアドレスを特定する工程と、前記特定したＩＰアドレスを含むＩＰパケットを前記端末に送出する工程と、前記端末が前記送出されたＩＰパケットを受取る工程と、前記受取ったＩＰパケット内の前記特定されたＩＰアドレスを用いて、前記端末が前記ＩＰ通信網を経由して前記宛先端末と通信を行う工程とを含むことを特徴とする通信方法。
【請求項２１】
ドメインネームサーバ及び２以上の端末と接続され、前記ドメインネームサーバは電話番号を基にＩＰアドレスを特定するための情報と、前記情報を用いて前記電話番号を基に宛先端末と通信を行うためのＩＰアドレスを特定する手順を備え、インターネットプロトコルを用いて通信網を経由して端末間で通信を行うために、前記宛先端末と通信を行うためのＩＰアドレスを特定する機能を有し、前記ドメインネームサーバを用いて、前記宛先端末と通信を行うためのＩＰアドレスを特定する機能を備えたことを特徴とするＩＰ通信網。
【請求項２２】
ドメインネームサーバ及び２以上の端末と接続され、インターネットプロトコルを用いて通信網を経由して端末間で通信を行う機能を有し、電話番号を基にＩＰアドレスを特定する手順を含むドメインネームサーバを用いて、宛先端末と通信を行うためのＩＰアドレスを特定する機能と、前記特定されたＩＰアドレスを用いて前記宛先端末と通信を行う機能とを備えたことを特徴とするＩＰ通信網。
【請求項２３】
通信回線を経て２以上の端末と常時接続され、前記端末は公衆電話網を経由したダイヤルアップ接続による通信網への接続を行わず、前記端末間で前記通信網を経由してインターネットプロトコルを用いて通信を行うために、宛先端末と通信を行うためのＩＰアドレスを特定する機能を有し、前記宛先端末に付与された電話番号を基に前記宛先端末と通信を行うためのＩＰアドレスを特定する機能を備えたことを特徴とするＩＰ通信網。
【請求項２４】
通信回線を経て２以上の端末と常時接続され、前記端末は公衆電話網を経由したダイヤルアップ接続による通信網への接続を行わず、前記端末間で前記通信網を経由してインターネットプロトコルを用いて通信を行うときに、宛先端末と通信を行うためのＩＰアドレスを特定して通信を行う機能を有し、前記宛先端末に付与された電話番号を基に前記宛先端末と通信を行うためのＩＰアドレスを特定する機能と、前記特定したＩＰアドレスを用いて前記端末間で通信を行う機能とを備えたことを特徴とするＩＰ通信網。
【請求項２５】
通信回線を経て２以上の端末と常時接続され、前記端末は公衆電話網を経由したダイヤルアップ接続による通信網への接続を行わず、電話番号を基にＩＰアドレスを特定する機能を備えたサーバと通信接続され、前記通信網において、前記サーバが問合せ元の端末から宛先端末に付与された電話番号を含むＩＰパケットを受取る機能と、前記受取ったＩＰパケット内の宛先端末の電話番号を基に前記宛先端末と通信を行うためのＩＰアドレスを特定する機能と、前記特定された前記宛先端末と通信を行うためのＩＰアドレスを含むＩＰパケットを前記問合せ元の端末に返信する機能とを備えたことを特徴とするＩＰ通信網。
【請求項２６】
前記サーバがドメインネームサーバである請求項２０又は２５に記載のＩＰ通信網。
【請求項２７】
ドメインネームサーバ及び２以上の端末と通信接続され、前記端末間で通信網を経由してインターネットプロトコルを用いて通信を行うために、前記ドメインネームサーバを用いて宛先端末と通信を行うためのＩＰアドレスを特定する機能を有し、前記ドメインネームサーバは電話番号を基にＩＰアドレスを特定する手順を含み、前記宛先端末の電話番号を基に前記宛先端末と通信を行うためのＩＰアドレスを特定するために前記ドメインネームサーバが用いるドメインネームを形成する機能と、前記ドメインネームサーバが前記形成したドメインネームを用いてＩＰアドレスを特定する機能とを備えたことを特徴とするＩＰ通信網。
【請求項２８】
ＩＰ通信網は２以上の端末と通信接続され、前記ＩＰ通信網と接続され、前記ＩＰ通信網を経由して端末間でインターネットプロトコルを用いて通信を行うための宛先端末のＩＰアドレスを特定する機能を有し、前記ＩＰ通信網と接続され、電話番号を基に前記宛先端末と通信を行うための前記ＩＰアドレスを特定するための機能を備えたことを特徴とするドメインネームサーバ。
【請求項２９】
ＩＰ通信網は通信回線を経て２以上の端末と常時接続され、前記端末は公衆電話網を経由したダイヤルアップ接続による前記ＩＰ通信網への接続を行わず、インターネットプロトコルを用いて前記端末間で前記ＩＰ通信網を経由して通信を行うための宛先端末と通信を行うためのＩＰアドレスを特定する機能を有し、前記ＩＰ通信網と接続され、前記宛先端末の電話番号を基に前記宛先端末と通信を行うためのＩＰアドレスを特定する機能を備えたことを特徴とするサーバ。
【請求項３０】
前記サーバがドメインネームサーバである請求項２９に記載のサーバ。
【請求項３１】
ＩＰ通信網は２以上の端末と通信接続され、インターネットプロトコルを用いて端末間で通信を行うときに宛先端末のＩＰアドレスを特定する機能を有し、前記ＩＰ通信網に接続され、前記宛先端末の電話番号を基に前記宛先端末と通信を行うためのＩＰアドレスを特定するためのドメインネームを形成する機能を備えたことを特徴とするサーバ。
【請求項３２】
ＩＰ通信網及び通信回線を経て常時接続され、公衆電話網を経由したダイヤルアップ接続による前記ＩＰ通信網への接続を行わず、前記ＩＰ通信網は、電話番号を基に宛先と通信を行うためのＩＰアドレスを特定する機能を備え、前記ＩＰ通信網を経由して宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記ＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項３３】
ＩＰ通信網及び通信回線を経て常時接続され、公衆電話網を経由したダイヤルアップ接続による前記ＩＰ通信網への接続を行わず、前記ＩＰ通信網は、電話番号を基に宛先と通信を行うためのＩＰアドレスを特定する機能を備え、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り前記特定したＩＰアドレスを用いて前記ＩＰ通信網を経由して前記宛先と通信を行うことを特徴とする端末。
【請求項３４】
ＩＰ通信網及び通信回線を経て常時接続され、公衆電話網を経由したダイヤルアップ接続による前記ＩＰ通信網への接続を行わず、前記ＩＰ通信網は、電話番号を基に宛先と通信を行うためのＩＰアドレスを特定する機能を備えたサーバと通信接続され、前記ＩＰ通信網を経由して前記宛先と通信を行うために、前記宛先の電話番号を含むＩＰパケットを前記サーバに送出する機能と、前記宛先と通信を行うためのＩＰアドレスを用いて通信を行う機能とを備え、前記宛先の電話番号を前記サーバに送出し、前記サーバは前記送出された電話番号を受取り、前記宛先と通信を行うためのＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項３５】
前記サーバがドメインネームサーバである請求項３４に記載の端末。
【請求項３６】
ＩＰ通信網は通信回線を経て２以上の通信端末と常時接続され、前記通信端末は公衆電話網を経由したダイヤルアップ接続による前記ＩＰ通信網への接続を行わず、前記ＩＰ通信網内に配置された前記通信端末の通信の管理を行う複数のアクセス制御装置を備え、前記アクセス制御装置は、前記通信端末から前記ＩＰ通信網に対する接続要求及び前記通信端末の電話番号を受付け、前記端末が通信を行うために割り当てたＩＰアドレスと前記通信端末の電話番号とが組で登録されたマッピングテーブルを備え、前記通信端末から他の前記通信端末に対する通信要求と当該着側の通信端末の電話番号とを受付ける受付手段と、前記通信要求と共に受付けた電話番号に対応して前記着信側の通信端末への通信経路を決定し、当該通信経路で前記通信要求及び電話番号を転送する転送手段と、自装置が前記着信側の通信端末と接続される前記アクセス制御装置である場合、前記通信要求と共に受付けた電話番号を前記マッピングテーブルで調べて、前記着信側の通信端末の前記ＩＰ通信網への接続の有無を判定する有無判定手段と、前記着信側の通信端末が前記ＩＰ通信網へ接続されている場合、当該通信端末へ前記通信要求を転送する転送要求手段とを具備したことを特徴とする通信システム。
【請求項３７】
アナログ信号をデータ通信用のパケット信号に変換して通信回線へ送信し、かつ受信したデータ通信用のパケット信号をアナログ信号に変換できる複数の端末を備え、前記端末は通信回線を経て常時接続され、公衆電話網を経由したダイヤルアップ接続を行わず、前記端末に端末識別番号として電話番号を与えておき、前記端末に付与された電話番号を基に前記端末と通信を行うためのＩＰアドレスを特定する機能を備えると共に、前記電話番号を管理するサーバを含んだＩＰ通信電話システムにおいて、前記電話番号を管理するサーバが、前記端末から宛先端末の電話番号を含むＩＰパケットを受取る工程と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対し返信する工程とを実行し、前記ＩＰ通信電話システムに接続された前記端末が、前記電話番号を管理するサーバに対し、前記宛先端末の電話番号を含むＩＰパケットを送出する工程と、前記送出したＩＰパケット内の前記宛先端末の電話番号に基づき、前記電話番号を管理するサーバが特定した前記宛先端末と通信を行うためのＩＰアドレスを含むＩＰパケットを取得する工程とを実行するようにしたことを特徴とする電話番号をＩＰアドレスと対応付けて端末識別番号として用いる方法。
【請求項３８】
通信回線を経て２以上の端末と常時接続され、前記端末は公衆電話網を経由したダイヤルアップ接続による通信網への接続を行わず、前記端末に端末識別番号として電話番号を与えておき、前記端末に付与された電話番号を基に前記端末と通信を行うためのＩＰアドレスを特定する機能を備えた前記電話番号を管理するサーバを含んだＩＰ通信網において、前記電話番号を管理するサーバが、前記端末から宛先端末の電話番号を含むＩＰパケットを受取る工程と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対して返信する工程とを実行し、前記ＩＰ通信網に接続する前記端末が、前記電話番号を管理するサーバに対して前記宛先端末の電話番号を含むＩＰパケットを送出する工程と、前記送出したＩＰパケット内の前記宛先端末の電話番号に基づき、前記電話番号を管理するサーバが特定した前記宛先端末と通信を行うためのＩＰアドレスを含むＩＰパケットを取得する工程とを実行するようにしたことを特徴とする電話番号をＩＰアドレスと対応付けて端末識別番号として用いる方法。
【請求項３９】
アナログ信号をデータ通信用のパケット信号に変換して通信回線へ送信し、かつ受信したデータ通信用のパケット信号をアナログ信号に変換できる複数の端末を備え、前記端末は前記通信回線を経て常時接続され、公衆電話網を経由したダイヤルアップ接続を行わず、前記端末に端末識別番号として電話番号を与えておき、前記端末に付与された電話番号を基に前記端末と通信を行うためのＩＰアドレスを特定する機能を備えた前記電話番号を管理するサーバと、通信の課金管理を行う課金サーバを含んだＩＰ通信網において、前記電話番号と、ネットワークシステム本来の端末識別番号であるＩＰアドレスとの対応を管理する電話番号管理サーバを用い、前記電話番号管理サーバが、前記端末から前記宛先端末の電話番号を含むＩＰパケットを受取る工程と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対し返信する工程とを実行し、前記ＩＰ通信網に接続された前記端末が、前記電話番号管理サーバに対し前記宛先端末の電話番号を含むＩＰパケットを送出する工程と、前記送出したＩＰパケット内の前記宛先端末の電話番号に基づき、前記電話番号管理サーバが特定した前記宛先端末と通信を行うためのＩＰアドレスを含むＩＰパケットを取得する工程と、前記端末が取得したＩＰパケット内のＩＰアドレスを用いて前記宛先端末と通信を行う工程と、前記課金サーバが通信の課金管理を行う工程とを実行するようにしたことを特徴とする電話番号をＩＰアドレスと対応付けて端末識別番号として用いる方法。
【請求項４０】
通信回線を経て２以上の端末と常時接続され、前記端末は公衆電話網を経由したダイヤルアップ接続による通信網への接続を行わず、前記端末に付与された電話番号を基に前記端末と通信を行うためのＩＰアドレスを特定する機能を備えたサーバと接続されるＩＰ通信網において、前記端末が前記サーバに対し、宛先端末の電話番号を含むＩＰパケットを送出する工程と、前記送出したＩＰパケット内の前記宛先端末の電話番号に基づき、前記サーバが特定した前記宛先端末と通信を行うためのＩＰアドレスを含むＩＰパケットを取得する工程とを備えたことを特徴とする方法。
【請求項４１】
通信回線を経て常時接続され、公衆電話網を経由したダイヤルアップ接続による通信網への接続を行わず、電話番号を基にＩＰアドレスを特定する機能を備えるサーバと接続されるＩＰ通信網において、前記サーバに対して宛先の電話番号を含むＩＰパケットを送出する機能と、前記送出したＩＰパケット内の前記宛先の電話番号に基づき、前記サーバが特定した前記宛先と通信を行うためのＩＰアドレスを含むＩＰパケットを取得する機能とを備えたことを特徴とする端末。
【請求項４２】
ＩＰ通信網は通信回線を経て２以上の端末と常時接続され、前記端末は公衆電話網を経由したダイヤルアップ接続による前記ＩＰ通信網への接続を行わず、前記ＩＰ通信網は、前記端末に付与された電話番号を基に前記端末と通信を行うためのＩＰアドレスを特定する機能を備えたサーバと接続されており、前記サーバが宛先端末と通信を行うためのＩＰアドレスを前記端末に知らせる方法において、前記サーバが前記端末から前記宛先端末に付与された電話番号を含むＩＰパケットを受取る工程と、前記サーバが受取ったＩＰパケット内の前記宛先端末に付与された電話番号を基に前記宛先端末と通信を行うためのＩＰアドレスを特定する工程と、前記特定したＩＰアドレスを含むＩＰパケットを前記端末に返信する工程とを備えたことを特徴とする方法。
【請求項４３】
ＩＰ通信網は通信回線を経て２以上の端末と常時接続され、前記端末は公衆電話網を経由したダイヤルアップ接続による前記ＩＰ通信網への接続を行わず、前記ＩＰ通信網と接続され、電話番号を基にＩＰアドレスを特定する機能と、前記端末から宛先端末に付与された電話番号を含むＩＰパケットを受取る機能と、前記受取ったＩＰパケット内の前記宛先端末に付与された電話番号を基に前記宛先端末と通信を行うためのＩＰアドレスを特定する機能と、前記特定したＩＰアドレスを含むＩＰパケットを前記端末に返信する機能とを備えたことを特徴とするサーバ。
【請求項４４】
アナログ信号をデータ通信用のパケット信号に変換して通信回線へ送信し、かつ受信したデータ通信用のパケット信号をアナログ信号に変換できる複数のデータ通信端末を備え、前記データ通信端末は通信回線を経て常時接続され、公衆電話網を経由したダイヤルアップ接続を行わず、前記データ通信端末に端末識別番号として電話番号を与えておき、前記端末に付与された電話番号を基に前記端末と通信を行うためのＩＰアドレスを特定する機能を備えた電話番号管理サーバを含んだＩＰ通信網において、前記電話番号管理サーバが、前記端末から宛先端末の電話番号を含むＩＰパケットを受取る機能と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対して返信する機能とを実行し、前記ＩＰ通信網に接続された前記端末が前記電話番号管理サーバに対して前記宛先端末の電話番号を含むＩＰパケットを送出する機能と、前記送出したＩＰパケットに基づき、前記電話番号管理サーバが特定した前記宛先端末と通信を行うためのＩＰアドレスを含むＩＰパケットを取得する機能とを備えたことを特徴とするＩＰ通信網。
【請求項４５】
通信回線を経て２以上の端末と常時接続され、前記端末は公衆電話網を経由したダイヤルアップ接続による前記ＩＰ通信網への接続を行わず、前記端末に端末識別番号として電話番号を与えておき、前記端末に付与された電話番号を基に前記端末と通信を行うためのＩＰアドレスを特定する機能を備えた電話番号管理サーバを含んだＩＰ通信網において、前記電話番号管理サーバが、前記端末から宛先端末の電話番号を含むＩＰパケットを受取る機能と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対して返信する機能とを実行し、前記ＩＰ通信網に接続された前記端末が前記電話番号管理サーバに対し、前記宛先端末の電話番号を含むＩＰパケットを送出する機能と、前記送出したＩＰパケットに基づき前記電話番号管理サーバが特定した前記宛先端末と通信を行うためのＩＰアドレスを含むＩＰパケットを取得する機能とを備えたことを特徴とするＩＰ通信網。
【請求項４６】
ＩＰ通信網はドメインネームサーバ及び２以上の端末と接続され、インターネットプロトコルを用いて前記ＩＰ通信網を経由して端末間で通信を行う機能を有し、電話番号を基にＩＰアドレスを特定する手順を含むドメインネームサーバを用いて宛先端末と通信を行うためのＩＰアドレスを特定する機能と、前記特定されたＩＰアドレスを用いて前記宛先端末と通信を行う機能とを備え、前記ＩＰ通信網を経由して宛先と通信を行うために前記電話番号を送出する機能と、前記宛先及び通信を行うためのＩＰアドレスを用いて通信を行う機能とを備え、前記宛先の電話番号を前記ＩＰ通信網に送出し、前記ＩＰ通信網は前記送出された電話番号を受取り、前記ＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項４７】
アナログ信号をデータ通信用のパケット信号に変換して通信回線へ送信し、かつ受信したデータ通信用のパケット信号をアナログ信号に変換できる複数の端末を備え、前記端末に端末識別番号として電話番号を与えておき、前記端末に付与された電話番号を基に前記端末と通信を行うためのＩＰアドレスを特定する機能を備える電話番号管理サーバと、宛先端末との通信を基に課金を行う機能を含むＩＰ通信電話システムにおいて、前記電話番号管理サーバが前記端末から宛先端末の電話番号を含むＩＰパケットを受取る工程と、前記受取ったＩＰパケット内の前記宛先端末の電話番号を基に前記宛先端末と通信を行うためのＩＰアドレスを特定し、前記特定したＩＰアドレスを含むＩＰパケットを問合せ元の前記端末に対し返信する工程とを実行し、前記ＩＰ通信電話システムに接続する前記端末が前記電話番号管理サーバに対し、前記宛先端末の電話番号を含むＩＰパケットを送出する工程と、前記送出したＩＰパケット内の前記宛先端末の電話番号に基づき、前記電話番号管理サーバが特定した前記宛先端末と通信を行うためのＩＰアドレスを含むＩＰパケットを取得する工程とを実行するようにしたことを特徴とする電話番号をＩＰアドレスと対応付けて端末識別番号として用いる方法。
【請求項４８】
アクセス制御装置を２以上含み、前記アクセス制御装置はＩＣＳ論理端子を２以上含み、発信側アクセス制御装置が発信側ＩＣＳ論理端子及びＩＣＳユーザフレームを基に着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定することを特徴とするＩＰ通信網。
【請求項４９】
アクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置が前記変換表を用いて、ＩＣＳユーザフレームを基に着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内部のＩＣＳ論理端子識別情報を基に前記着信側アクセス制御装置のＩＣＳ論理端子を決定することを特徴とするＩＰ通信網。
【請求項５０】
外部ＩＣＳユーザフレームが入力する発信側のＩＣＳ論理端子及び前記ＩＣＳユーザフレームに付与されたＩＣＳユーザアドレスを基に、内部ＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えたことを特徴とするＩＰ通信網。
【請求項５１】
ＩＣＳ論理端子を２以上含み、発信側アクセス制御装置が、発信側のＩＣＳ論理端子及びＩＣＳユーザフレームから着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に前記着信側ＩＣＳ論理端子を決定することを特徴とするアクセス制御装置。
【請求項５２】
変換表及び２以上のＩＣＳ論理端子を含み、前記変換表はＩＣＳ論理端子識別情報を形成する情報を含み、発信側アクセス制御装置が、前記変換表を用いてＩＣＳユーザフレームを基に着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に着信側ＩＣＳ論理端子を決定することを特徴とするアクセス制御装置。
【請求項５３】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えたことを特徴とするアクセス制御装置。
【請求項５４】
通信の課金管理を行う課金サーバを含んでいる請求項４８乃至５０のいずれかに記載のＩＰ通信網。
【請求項５５】
通信に対する課金管理を行うようになっている請求項４８乃至５０のいずれかに記載のＩＰ通信網。
【請求項５６】
変換表管理を行うようになっている請求項４９に記載のＩＰ通信網。
【請求項５７】
少なくともＩＣＳユーザフレームのアドレス管理を含むアドレス管理を行うようになっている請求項４８乃至５０のいずれかに記載のＩＰ通信網。
【請求項５８】
電子署名を行うようになっている請求項４８乃至５０のいずれかに記載のＩＰ通信網。
【請求項５９】
少なくともＩＣＳユーザフレームのアドレス管理を含む運用管理を行うようになっている請求項４８乃至５０のいずれかに記載のＩＰ通信網。
【請求項６０】
少なくともＩＣＳユーザフレームの暗号化を含む暗号化手続き及び復号化手続きを行うようになっている請求項４８乃至５０のいずれかに記載のＩＰ通信網。
【請求項６１】
ＩＣＳネームサーバを含み、接続された端末が前記ＩＣＳネームサーバに宛先端末のＩＣＳネームを送り、前記ＩＣＳネームサーバが宛先端末のＩＣＳネームと１対１に対応するＩＣＳユーザアドレスを特定し、前記端末に返信するようになっている請求項４８乃至５０のいずれかに記載のＩＰ通信網。
【請求項６２】
通信の課金管理を行う課金サーバを含み、アクセス制御装置を２つ以上含み、前記アクセス制御装置は２以上の論理端子を含み、発信側論理端子と外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定することを特徴とするＩＰ通信網。
【請求項６３】
アクセス制御装置を２以上含み、前記アクセス制御装置は２以上の論理端子を含み、発信側論理端子及び外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定し、通信の課金管理を行うことを特徴とするＩＰ通信網。
【請求項６４】
アクセス制御装置を２以上含み、前記アクセス制御装置は２以上の論理端子を含み、発信側論理端子及び外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定し、ＩＣＳユーザフレームのアドレス管理を行うことを特徴とするＩＰ通信網。
【請求項６５】
アクセス制御装置を２以上含み、前記アクセス制御装置は２以上の論理端子を含み、発信側論理端子及び外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定して電子署名を行うことを特徴とするＩＰ通信網。
【請求項６６】
アクセス制御装置を２以上含み、前記アクセス制御装置は２以上の論理端子を含み、発信側論理端子及び外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定し、少なくとも前記アクセス制御装置の運用管理を含む運用管理を行うことを特徴とするＩＰ通信網。
【請求項６７】
アクセス制御装置を２以上含み、前記アクセス制御装置は２以上の論理端子を含み、発信側論理端子及び外部パケットを基に、発信側アクセス制御装置が着信側論理端子識別情報を含む内部パケットを形成して送出し、着信側アクセス制御装置が前記内部パケットを受取り、前記内部パケットの論理端子識別情報を基に着信側論理端子を決定し、少なくともＩＣＳユーザフレームの暗号化を含む暗号化を行うことを特徴とするＩＰ通信網。
【請求項６８】
ＩＰ通信網は、発信側のＩＣＳ論理端子及びＩＣＳユーザフレームを基に着信側ＩＣＳ論理端子識別情報を含むＩＣＳネットワークフレームを形成する機能と、前記着信側ＩＣＳ論理端子識別情報を基に前記ＩＣＳネットワークフレームを送信すべき着信側ＩＣＳ論理端子を決定する機能とを備え、前記ＩＰ通信網に接続してＩＣＳユーザフレームを送受信する機能と、宛先と通信を行うためのＩＣＳユーザアドレスを用いて通信を行う機能とを備え、送信元及び前記宛先のＩＣＳユーザアドレスを含む第１のＩＣＳユーザフレームを前記ＩＰ通信網に送出し、前記ＩＰ通信網は前記送出された第１のＩＣＳユーザフレームを受取り、前記受取った第１のＩＣＳユーザフレーム及び前記受取った第１のＩＣＳユーザフレームが入力したＩＣＳ論理端子を基に、前記宛先が接続されている着信側ＩＣＳ論理端子を特定し、前記特定されたＩＣＳ論理端子を経由して前記宛先に前記第１のＩＣＳユーザフレームを送信し、前記宛先は前記送信された第１のＩＣＳユーザフレームを受取り、前記受取った第１のＩＣＳユーザフレーム内の送信元ＩＣＳユーザアドレスを基に同様に前記ＩＰ通信網を経由して返信し、前記返信した第２のＩＣＳユーザフレームを受取り、以下同様に前記ＩＰ通信網を経由して前記宛先と通信を行うことを特徴とする端末。
【請求項６９】
ＩＰ通信網はアクセス制御装置を２以上含み、前記アクセス制御装置はＩＣＳ論理端子を２以上含み、発信側アクセス制御装置が、発信側ＩＣＳ論理端子及びＩＣＳユーザフレームを基に着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定し、前記ＩＰ通信網に接続してＩＣＳユーザフレームを送受信する機能と、宛先と通信を行うためのＩＣＳアドレスを用いて通信を行う機能とを備え、送信元と前記宛先のＩＣＳユーザアドレスを含む第１のＩＣＳユーザフレームを前記ＩＰ通信網に送出し、前記ＩＰ通信網は前記送出された第１のＩＣＳユーザフレームを受取り、前記受取った第１のＩＣＳユーザフレーム及び前記受取った第１のＩＣＳユーザフレームが入力した発信側アクセス制御装置のＩＣＳ論理端子を基に、前記宛先が接続している前記着信側アクセス制御装置のＩＣＳ論理端子を決定し、前記決定されたＩＣＳ論理端子を経由して前記宛先に前記送出された第１のＩＣＳユーザフレームを送り、前記宛先は前記送出されたＩＣＳユーザフレームを受取り、前記受取った第１のＩＣＳユーザフレーム内の送信元ＩＣＳユーザアドレスを基に前記ＩＰ通信網を経由して第２のＩＣＳユーザフレームを返信し、前記返信された第２のＩＣＳユーザフレームを受取り、以下同様に前記ＩＰ通信網を経由して前記宛先と通信を行うことを特徴とする端末。
【請求項７０】
ＩＰ通信網はアクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置が、前記変換表を用いてＩＣＳユーザフレームを基に着信側ＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定し、前記発信側アクセス制御装置に接続してＩＣＳユーザフレームを送受信する機能と、宛先と通信を行うためのＩＰアドレスを用いて通信を行う機能とを備え、送信元と前記宛先のＩＣＳユーザアドレスを含む第１のＩＣＳユーザフレームを前記ＩＰ通信網に送出し、前記ＩＰ通信網は前記送出された第１のＩＣＳユーザフレームを受取り、前記受取った第１のＩＣＳユーザフレーム及び前記受け取ったＩＣＳユーザフレームが入力した発信側のアクセス制御装置の変換表を基に、前記宛先が接続している前記着信側アクセス制御装置のＩＣＳ論理端子を決定し、前記決定されたＩＣＳ論理端子を経由して前記宛先に前記送出された第１のＩＣＳユーザフレームを送り、前記宛先は前記送出された第１のＩＣＳユーザフレームを受取り、前記受取った第１のＩＣＳユーザフレーム内の送信元ＩＣＳユーザアドレスを基に前記ＩＰ通信網を経由して第２のＩＣＳユーザフレームを返信し、前記返信された第２のＩＣＳユーザフレームを受取り、以下同様に前記ＩＰ通信網を経由して前記宛先と通信を行うことを特徴とする端末。
【請求項７１】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えるＩＰ通信網に接続し、ＩＣＳユーザフレームを送受信する機能と、宛先と通信を行うためのＩＣＳアドレスを用いて通信を行う機能とを備え、送信元及び前記宛先のＩＣＳユーザアドレスを含むＩＣＳユーザフレームを前記ＩＰ通信網に送出し、前記ＩＰ通信網は前記送出された第１のＩＣＳユーザフレームを受取り、前記受取った第１のＩＣＳユーザフレーム内のＩＣＳユーザアドレス及び前記受取った第１のＩＣＳユーザフレームが入力したＩＣＳ論理端子を基に、前記宛先が接続されている着信側ＩＣＳ論理端子を特定して前記宛先に前記第１のＩＣＳユーザフレームを送信し、前記宛先は前記送信された第１のＩＣＳユーザフレームを受取り、前記受取った第１のＩＣＳユーザフレーム内の送信元ＩＣＳユーザアドレスを基に、同様に前記ＩＰ通信網を経由して返信し、前記返信した第２のＩＣＳユーザフレームを受取り、以下同様に前記ＩＰ通信網を経由して前記宛先と通信を行うことを特徴とする端末。
【請求項７２】
発信側ＩＣＳ論理端子及びＩＣＳユーザフレームを基に着信側ＩＣＳ論理端子識別情報を含むＩＣＳネットワークフレームを形成する工程と、前記着信側ＩＣＳ論理端子識別情報を基に前記ＩＣＳネットワークフレームを送信すべき着信側ＩＣＳ論理端子を決定する工程とを備えたことを特徴とする方法。
【請求項７３】
アクセス制御装置はＩＣＳ論理端子を２以上含み、発信側アクセス制御装置が発信側ＩＣＳ論理端子及びＩＣＳユーザフレームを基に着信側ＩＣＳ論理端子識別情報を含むＩＣＳネットワークフレームを形成して送出する工程と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する工程とを備えたことを特徴とする方法。
【請求項７４】
アクセス制御装置は変換表及び２以上のＩＣＳ論理端子を含み、前記変換表はＩＣＳ論理端子識別情報を形成する情報を含み、発信側アクセス制御装置が前記変換表を用いて、ＩＣＳユーザフレームを基に着信側ＩＣＳ論理端子識別情報を含むＩＣＳネットワークフレームを形成して送出する工程と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する工程とを備えたことを特徴とする方法。
【請求項７５】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する工程と、前記決定されたＩＣＳネットワークアドレスを基に前記ＩＣＳネットワークフレームを送信すべき着信側ＩＣＳ論理端子を決定する工程とを備えたことを特徴とする方法。
【請求項７６】
アクセス制御装置は変換表及び２以上のＩＣＳ論理端子を含み、前記変換表はＩＣＳ論理端子識別情報を形成する情報を含み、発信側アクセス制御装置が前記変換表を用いて、ＩＣＳユーザフレームを基に着信側ＩＣＳ論理端子識別情報を含むＩＣＳネットワークフレームを形成して送出する工程と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する工程とを備える第１手順と、宛先端末に付与された電話番号を基に前記宛先端末と通信を行うためのＩＣＳアドレスを特定する工程と、特定したＩＣＳアドレスを用いて前記宛先端末と通信を行う工程とを備える第２手順とを含むことを特徴とする方法。
【請求項７７】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する工程と、前記決定されたＩＣＳネットワークアドレスを基に、前記ＩＣＳネットワークフレームを送信すべき着信側ＩＣＳ論理端子を決定する工程とを備える第１手順と、宛先端末に付与された電話番号を基に前記宛先端末と通信を行うためのＩＣＳアドレスを特定する工程と、特定したＩＣＳアドレスを用いて前記宛先端末と通信を行う工程とを備える第２手順とを含むことを特徴とする方法。
【請求項７８】
ＩＰ通信網は２以上の端末と通信接続され、前記ＩＰ通信網を経由して端末間でインターネットプロトコルを用いて通信を行う方法において、宛先端末に付与された電話番号を基に前記宛先端末と通信を行うためのＩＰアドレスを特定する工程と、特定したＩＰアドレスを用いて前記端末が前記宛先端末と通信を行う工程とを備える第１手順と、前記ＩＰ通信網の利用ユーザの課金管理を行う第２手順とを備えたことを特徴とする方法。
【請求項７９】
ＩＰ通信網は２以上の端末と通信接続され、前記ＩＰ通信網を経由して端末間でインターネットプロトコルを用いて通信を行うために宛先端末のＩＰアドレスを特定する方法において、公衆電話網に接続された端末からダイヤルアップの通信接続方法を用いて送られた電話番号を用いた電話番号を基にＩＰアドレスを特定する情報の形成を行わず、前記端末のユーザの申し込みを基に前記ユーザが使用する電話番号を基にＩＰアドレスを特定する情報を形成する工程と、前記ユーザが使用する電話番号を基にＩＰアドレスを特定する情報を用いて、前記宛先端末に付与された電話番号を基に前記宛先端末と通信を行うためのＩＰアドレスを特定する工程とを備えたことを特徴とする方法。
【請求項８０】
ＩＰ通信網は２以上の端末と通信接続されると共に、電話番号を基にＩＰアドレスを特定する情報を形成する機能を含み、前記電話番号を基にＩＰアドレスを特定する情報を形成する機能は、前記ＩＰ通信網が公衆電話網に接続された前記端末からダイヤルアップの通信接続方法を用いて送られた電話番号を用いた電話番号を基にＩＰアドレスを特定する情報の形成を行わず、前記端末のユーザの申し込みを基に前記ユーザが使用する電話番号を基にＩＰアドレスを特定する情報を形成する手段を備え、前記ＩＰ通信網を経由して前記端末間でインターネットプロトコルを用いて通信を行うために宛先端末のＩＰアドレスを特定する方法において、前記ユーザが使用する電話番号を基にＩＰアドレスを特定する情報を形成する工程と、宛先端末に付与された電話番号を基に前記ユーザが使用する電話番号を基にＩＰアドレスを特定する情報を用いて前記宛先端末と通信を行うためのＩＰアドレスを特定する工程とを備えたことを特徴とする方法。
【請求項８１】
ＩＰ通信網は２以上の端末と通信接続され、前記ＩＰ通信網を経由して前記端末間でインターネットプロトコルを用いて通信を行う方法において、公衆電話網に接続された端末からダイヤルアップの通信接続方法を用いて送られた電話番号を用いた電話番号を基にＩＰアドレスを特定する情報の形成を行わず、前記端末のユーザの申し込みを基に、前記ユーザが使用する電話番号を基にＩＰアドレスを特定する情報を形成する工程と、前記ユーザが使用する電話番号を基にＩＰアドレスを特定する情報を用いて、宛先端末に付与された電話番号を基に前記宛先端末と通信を行うためのＩＰアドレスを特定する工程と、特定したＩＰアドレスを用いて前記端末が前記宛先端末と通信を行う工程とを備えたことを特徴とする方法。
【請求項８２】
ＩＰ通信網は２以上の端末と通信接続されると共に、電話番号を基にＩＰアドレスを特定する情報を形成する機能を含み、前記電話番号を基にＩＰアドレスを特定する情報を形成する機能は、前記ＩＰ通信網が公衆電話網に接続された前記端末からダイヤルアップの通信接続方法を用いて送られた電話番号を用いた電話番号を基にＩＰアドレスを特定する情報の形成を行わず、前記端末のユーザの申し込みを基に、前記ユーザが使用する電話番号を基にＩＰアドレスを特定する情報を形成する手段を備え、前記ＩＰ通信網を経由して前記端末間でインターネットプロトコルを用いて通信を行う方法において、宛先端末に付与された電話番号を基に前記ユーザが使用する電話番号を基にＩＰアドレスを特定する情報を用いて前記宛先端末と通信を行うためのＩＰアドレスを特定する工程と、特定されたＩＰアドレスを用いて前記端末が前記宛先端末と通信を行う工程とを備えたことを特徴とする方法。
【請求項８３】
ＩＰ通信網は２以上の端末と通信接続されると共に、電話番号を基にＩＰアドレスを特定する情報を形成する機能を含み、前記電話番号を基にＩＰアドレスを特定する情報を形成する機能は、前記ＩＰ通信網が公衆電話網に接続された前記端末からダイヤルアップの通信接続方法を用いて送られた電話番号を用いた電話番号を基にＩＰアドレスを特定する情報の形成を行わず、前記端末のユーザの申し込みを基に、前記ユーザが使用する電話番号を基にＩＰアドレスを特定する情報を形成する手段を備え、前記ＩＰ通信網を経由して前記端末間でインターネットプロトコルを用いて通信を行う方法において、前記ユーザが使用する電話番号を基にＩＰアドレスを特定する情報を形成する工程と、宛先端末に付与された電話番号を基に前記ユーザが使用する電話番号を基にＩＰアドレスを特定する情報を用いて前記宛先端末と通信を行うためのＩＰアドレスを特定する工程と、特定されたＩＰアドレスを用いて前記端末が前記宛先端末と通信を行う工程とを備えたことを特徴とする方法。
【請求項８４】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する工程と、前記決定されたＩＣＳネットワークアドレスを基に前記ＩＣＳネットワークフレームを送信すべき着信側ＩＣＳ論理端子を決定する工程とを備える第１手順と、宛先端末に付与された電話番号を基に前記宛先端末と通信を行うためのＩＣＳアドレスを特定する工程と、特定されたＩＣＳアドレスを用いて前記宛先端末と通信を行う工程とを備える第２手順とを含むことを特徴とする方法。
【請求項８５】
ＩＰ通信網の利用ユーザの課金管理を行う手順を備えている請求項７９乃至８４のいずれかに記載の方法。
【請求項８６】
２以上の端末と接続され、通信網を経由して端末間でインターネットプロトコルを用いて通信を行う機能を有するＩＰ通信網において、宛先端末に付与された電話番号を基に前記宛先端末と通信を行うためのＩＰアドレスを特定する機能と、特定したＩＰアドレスを用いて端末が前記宛先端末と通信を行う機能と、前記ＩＰ通信網の利用ユーザの課金管理を行う機能とを備えたことを特徴とするＩＰ通信網。
【請求項８７】
２以上の端末と接続され、通信網を経由して端末間でインターネットプロトコルを用いて通信を行う機能を有するＩＰ通信網において、公衆電話網に接続された端末からダイヤルアップの通信接続方法を用いて送られた電話番号を用いた電話番号を基にＩＰアドレスを特定する情報の形成を行わず、前記端末のユーザの申し込みを基に、前記ユーザが使用する電話番号を基にＩＰアドレスを特定する情報を形成する機能と、前記ユーザが使用する電話番号を基にＩＰアドレスを特定する情報を用いて、宛先端末に付与された電話番号を基に前記宛先端末と通信を行うためのＩＰアドレスを特定する機能と、特定したＩＰアドレスを用いて前記端末が前記宛先端末と通信を行う機能とを備えたことを特徴とするＩＰ通信網。
【請求項８８】
２以上の端末と通信接続されると共に、電話番号を基にＩＰアドレスを特定する情報を形成する機能を含み、前記電話番号を基にＩＰアドレスを特定する情報を形成する機能は、前記ＩＰ通信網が公衆電話網に接続された前記端末からダイヤルアップの通信接続方法を用いて送られた電話番号を用いた電話番号を基にＩＰアドレスを特定する情報の形成を行わず、前記端末のユーザの申し込みを基に、前記ユーザが使用する電話番号を基にＩＰアドレスを特定する情報を形成する手段を備え、前記通信網を経由して前記端末間で通信を行う機能を有するＩＰ通信網において、前記ユーザが使用する電話番号を基にＩＰアドレスを特定する情報を形成する機能と、宛先端末に付与された電話番号を基に前記ユーザが使用する電話番号を基にＩＰアドレスを特定する情報を用いて前記宛先端末と通信を行うためのＩＰアドレスを特定する機能と、特定されたＩＰアドレスを用いて前記端末が前記宛先端末と通信を行う機能とを備えたことを特徴とするＩＰ通信網。
【請求項８９】
２以上の端末と接続され、通信網を経由して端末間でインターネットプロトコルを用いて通信を行う機能を有するＩＰ通信網において、発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能と、宛先端末に付与された電話番号を基に前記宛先端末と通信を行うためのＩＣＳアドレスを特定する機能と、特定されたＩＣＳアドレスを用いて前記端末が前記宛先端末と通信を行う機能とを備えたことを特徴とするＩＰ通信網。
【請求項９０】
前記ＩＰ通信網の利用ユーザの課金管理を行う機能を備えている請求項８７乃至８９のいずれかに記載のＩＰ通信網。
【請求項９１】
ＩＰ通信網は電話番号を基に宛先と通信を行うためのＩＰアドレスを特定する機能と、特定したＩＰアドレスを用いて前記ＩＰ通信網を経由して前記宛先と通信を行う機能と、前記ＩＰ通信網の利用ユーザの課金管理を行う機能とを備え、前記ＩＰ通信網と接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り前記特定したＩＰアドレスを用いて前記ＩＰ通信網を経由して前記宛先と通信を行うことを特徴とする端末。
【請求項９２】
ＩＰ通信網は、公衆電話網からのダイヤルアップの通信接続方法を用いて送られた電話番号を用いた電話番号を基にＩＰアドレスを特定する情報の形成は行わず、ユーザの申し込みを基に前記ユーザが使用する電話番号を基に前記ＩＰアドレスを特定する情報を形成する機能と、前記ユーザが使用する電話番号を基に前記ＩＰアドレスを特定する情報を用いて、宛先に付与された電話番号を基に前記宛先と通信を行うためのＩＰアドレスを特定する機能と、前記特定されたＩＰアドレスを用いて前記宛先と通信を行う機能とを備え、前記ＩＰ通信網と接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り前記特定したＩＰアドレスを用いて前記ＩＰ通信網を経由して前記宛先と通信を行うことを特徴とする端末。
【請求項９３】
発信側のＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能と、宛先に付与された電話番号を基に前記宛先と通信を行うためのＩＰアドレスを特定する機能と、前記特定されたＩＰアドレスを用いて前記宛先と通信を行う機能とを備えるＩＰ通信網に接続され、前記電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り、前記特定したＩＰアドレスを用いて前記ＩＰ通信網を経由して前記宛先と通信を行うことを特徴とする端末。
【請求項９４】
請求項８６に記載のＩＰ通信網又は請求項９０に記載のＩＰ通信網に接続され、宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り前記特定したＩＰアドレスを用いて前記ＩＰ通信網を経由して前記宛先と通信を行うことを特徴とする端末。
【請求項９５】
第１のユーザ端末が接続された第１の電話回線又はＩＳＤＮ回線と、第２のユーザ端末が接続された第２の電話回線又はＩＳＤＮ回線とがＩＰ通信網経由で接続されたネットワークシステムに用いられ、前記第１のユーザ端末と前記第２のユーザ端末との間で通話可能となっている通話システムにおいて、前記ＩＰ通信網に接続され、前記第１の電話回線又は前記ＩＳＤＮ回線から電話番号乃至音声を受け取り、前記電話番号乃至音声に対応するデータを所定のプロトコルで前記ＩＰ通信網に送出すると共に、前記ＩＰ通信網を介して供給された前記電話番号乃至音声に対応するデータを前記電話番号乃至音声に変換して前記第１の電話回線又はＩＳＤＮ回線に向けて送出する第１のアクセス制御装置と、前記ＩＰ通信網に接続され、前記第２の電話回線又はＩＳＤＮ回線から前記電話番号乃至音声を受取って前記ＩＰ通信網に前記所定のプロトコルで前記電話番号乃至音声に対応するデータを送出すると共に、前記ＩＰ通信網を介して供給されたデータを前記電話番号乃至は音声に変換して前記第２の電話回線又はＩＳＤＮ回線に向けて送出する第２のアクセス制御装置と、前記第１の電話回線又はＩＳＤＮ回線と前記第１のアクセス制御装置とを接続する第１の相互接続点と、前記第２の電話回線又はＩＳＤＮ回線と前記第２のアクセス制御装置とを接続する第２の相互接続点とを備えたことを特徴とする通話システム。
【請求項９６】
電話回線又はＩＳＤＮ回線に接続された第１のユーザ端末と第２のユーザ端末とがＩＰ通信網経由で接続されることによって通話可能となっている通話システムにおいて、前記ＩＰ通信網に接続され、前記電話回線又はＩＳＤＮ回線から電話番号乃至音声を受取り、前記電話番号乃至音声に対応するデータを所定のプロトコルで前記ＩＰ通信網に送出すると共に、前記ＩＰ通信網を介して供給された前記電話番号乃至音声に対応するデータを前記電話番号乃至音声に変換して前記電話回線又はＩＳＤＮ回線に向けて送出するアクセス制御装置と、前記電話回線又はＩＳＤＮ回線と前記アクセス制御装置とを相互接続する接続点と、前記第２のユーザ端末に向けた着番号から当該ユーザ端末に接続するためのＩＣＳアドレスに変換し、前記変換されたＩＣＳアドレスを前記アクセス制御装置に供給するＩＣＳアドレス供給手段とを備え、更に前記アクセス制御装置は、前記ＩＣＳアドレス供給手段によって供給されたＩＣＳアドレスを指定して前記第１のユーザ端末と前記第２のユーザ端末とを前記ＩＰ通信網経由で接続する手段を備えたことを特徴とする通話システム。
【請求項９７】
ＩＣＳユーザフレームに含まれる第１の宛先ＩＣＳユーザアドレスを第２の宛先ＩＣＳユーザアドレスに変換する工程と、発信側ＩＣＳ論理端子及び前記変換されたＩＣＳユーザフレームを基に着信側ＩＣＳ論理端子識別情報を含むＩＣＳネットワークフレームを形成する工程と、前記着信側ＩＣＳ論理端子識別情報を基に前記ＩＣＳネットワークフレームを送信すべき着信側ＩＣＳ論理端子を決定する工程とを備えたことを特徴とする方法。
【請求項９８】
アクセス制御装置はＩＣＳ論理端子を２以上含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレーム及び発信側ＩＣＳ論理端子を基に着信側ＩＣＳ論理端子識別情報を含むＩＣＳネットワークフレームを形成して送出する工程と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する工程とを備えたことを特徴とする方法。
【請求項９９】
アクセス制御装置は変換表及び２以上のＩＣＳ論理端子を含み、前記変換表はＩＣＳ論理端子識別情報を形成する情報を含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレームを基に前記変換表を用いて着信側ＩＣＳ論理端子識別情報を含むＩＣＳネットワークフレームを形成して送出する工程と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する工程とを備えたことを特徴とする方法。
【請求項１００】
ＩＣＳユーザフレームに含まれる第１の宛先ＩＣＳユーザアドレスを第２の宛先ＩＣＳユーザアドレスに変換する工程と、発信側ＩＣＳ論理端子及び前記変換されたＩＣＳユーザフレームに付与されたＩＣＳユーザアドレスを基に、内部のＩＣＳネットワークフレームのＩＣＳネットワークアドレスを決定する工程と、前記決定されたＩＣＳネットワークアドレスを基に前記ＩＣＳネットワークフレームを送信すべき着信側ＩＣＳ論理端子を決定する工程とを備えたことを特徴とする方法。
【請求項１０１】
ＩＣＳユーザフレームに含まれる第１の宛先ＩＣＳユーザアドレスを第２の宛先ＩＣＳユーザアドレスに変換する機能と、発信側ＩＣＳ論理端子及び前記変換されたＩＣＳユーザフレームを基に着信側ＩＣＳ論理端子識別情報を含むＩＣＳネットワークフレームを形成する機能と、前記着信側ＩＣＳ論理端子識別情報を基に前記ＩＣＳネットワークフレームを送信すべき着信側ＩＣＳ論理端子を決定する機能とを備えたことを特徴とするＩＰ通信網。
【請求項１０２】
アクセス制御装置を２以上含み、前記アクセス制御装置はＩＣＳ論理端子を２以上含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレーム及び発信側ＩＣＳ論理端子を基に着信側ＩＣＳ論理端子識別情報を含むＩＣＳネットワークフレームを形成して送出する機能を備え、更に着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する機能を備えたことを特徴とするＩＰ通信網。
【請求項１０３】
アクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレームを基に前記変換表を用いて着信側ＩＣＳ論理端子識別情報を含むＩＣＳネットワークフレームを形成して送出する機能を備え、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する機能を備えたことを特徴とするＩＰ通信網。
【請求項１０４】
ＩＣＳユーザフレームに含まれる第１の宛先ＩＣＳユーザアドレスを第２の宛先ＩＣＳユーザアドレスに変換する機能と、発信側ＩＣＳ論理端子及び前記変換されたＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えたことを特徴とするＩＰ通信網。
【請求項１０５】
前記宛先端末に付与された電話番号を基にＩＰアドレスを特定する機能と、前記特定されたＩＰアドレスを用いて前記宛先端末と通信を行う機能とを備えている請求項１０１乃至１０４のいずれかに記載のＩＰ通信網。
【請求項１０６】
ＩＰ通信網の利用ユーザの課金管理を行う機能を備えている請求項１０１乃至１０５のいずれかに記載のＩＰ通信網。
【請求項１０７】
ＩＣＳユーザフレームに含まれる第１の宛先ＩＣＳユーザアドレスを第２の宛先ＩＣＳユーザアドレスに変換する機能と、発信側ＩＣＳ論理端子及び前記変換されたＩＣＳユーザフレームを基に着信側ＩＣＳ論理端子識別情報を含むＩＣＳネットワークフレームを形成する機能と、前記着信側ＩＣＳ論理端子識別情報を基に前記ＩＣＳネットワークフレームを送信すべき着信側ＩＣＳ論理端子を決定する機能とを備えたことを特徴とするアクセス制御装置。
【請求項１０８】
ＩＣＳ論理端子を２以上含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレーム及び発信側ＩＣＳ論理端子を基に着信側ＩＣＳ論理端子識別情報を含むＩＣＳネットワークフレームを形成する機能を備え、着信側アクセス制御装置が前記ＩＣＳネットワークフレームを受取り、前記ＩＣＳネットワークフレーム内のＩＣＳ論理端子識別情報を基に前記着信側ＩＣＳ論理端子を決定する機能を備えたことを特徴とするアクセス制御装置。
【請求項１０９】
変換表及び２以上のＩＣＳ論理端子を含み、前記変換表はＩＣＳ論理端子識別情報を形成する情報を含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレームを基に前記変換表を用いて着信側ＩＣＳ論理端子識別情報を含むＩＣＳネットワークフレームを形成して送出する機能を備え、着信側アクセス制御装置が前記ＩＣＳネットワークフレームを受取り、前記ＩＣＳネットワークフレーム内のＩＣＳ論理端子識別情報を基に前記着信側ＩＣＳ論理端子を決定する機能を備えたことを特徴とするアクセス制御装置。
【請求項１１０】
ＩＣＳユーザフレームに含まれる第１の宛先ＩＣＳユーザアドレスを第２の宛先ＩＣＳユーザアドレスに変換する機能と、発信側ＩＣＳ論理端子及び前記変換されたＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えたことを特徴とするアクセス制御装置。
【請求項１１１】
ＩＰ通信網はＩＣＳユーザフレームに含まれる第１の宛先ＩＣＳユーザアドレスを第２の宛先ＩＣＳユーザアドレスに変換する機能と、発信側ＩＣＳ論理端子及び前記変換されたＩＣＳユーザフレームを基に着信側ＩＣＳ論理端子識別情報を含むＩＣＳネットワークフレームを形成する機能と、前記着信側ＩＣＳ論理端子識別情報を基に前記ＩＣＳネットワークフレームを送信すべき着信側ＩＣＳ論理端子を決定する機能を備え、前記ＩＰ通信網に接続され、ＩＣＳユーザフレームを送受信する機能と、宛先と通信を行うためのＩＣＳアドレスを用いて通信を行う機能とを備え、送信元及び宛先のＩＣＳユーザアドレスを含むＩＣＳユーザフレームを前記ＩＰ通信網に送出し、前記ＩＰ通信網は前記送出されたＩＣＳユーザフレームを受取り、前記受取った第１の宛先ＩＣＳユーザアドレスを含むＩＣＳユーザフレームを基に、前記第１の宛先ＩＣＳユーザアドレスに変換して第２の宛先ＩＣＳユーザアドレスを含むＩＣＳユーザフレームを形成し、前記形成されたＩＣＳユーザフレーム及び発信側ＩＣＳ論理端子を基に前記宛先が接続された着信側ＩＣＳ論理端子を決定して前記宛先に前記形成されたＩＣＳユーザフレームを送信し、前記宛先は前記送信されたＩＣＳユーザフレームを受取り、前記受取ったＩＣＳユーザフレーム内の送信元ＩＣＳユーザアドレスを基に前記ＩＰ通信網を経由して前記宛先に返信し、前記返信を受取り、以下同様に前記ＩＰ通信網を経由して前記宛先と通信を行うことを特徴とする端末。
【請求項１１２】
ＩＰ通信網はアクセス制御装置を２以上含み、前記アクセス制御装置はＩＣＳ論理端子を２以上含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレーム及び発信側ＩＣＳ論理端子を基に着信側ＩＣＳ論理端子識別情報を含むＩＣＳネットワークフレームを形成して送出する機能を備え、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する機能を備え、前記ＩＰ通信網に接続され前記ＩＣＳユーザフレームを送受信する機能と、宛先と通信を行うためのＩＣＳアドレスを用いて通信を行う機能とを備え、送信元及び宛先のＩＣＳユーザアドレスを含むＩＣＳユーザフレームを前記ＩＰ通信網に送出し、前記ＩＰ通信網は前記送出されたＩＣＳユーザフレームを受取り、前記受取った第１の宛先ＩＣＳユーザアドレスを含むＩＣＳユーザフレームを基に、前記第１の宛先ＩＣＳユーザアドレスに変換して第２の宛先ＩＣＳユーザアドレスを含むＩＣＳユーザフレームを形成し、前記形成されたＩＣＳユーザフレーム及び前記送出されたＩＣＳユーザフレームが入力したＩＣＳ論理端子を基に宛先が接続された着信側ＩＣＳ論理端子を決定して前記宛先に前記形成されたＩＣＳユーザフレームを送信し、前記宛先は前記送信されたＩＣＳユーザフレームを受取り、前記受取ったＩＣＳユーザフレーム内の送信元ＩＣＳユーザアドレスを基に前記ＩＰ通信網を経由して前記宛先に返信し、前記返信を受取り、以下同様に前記ＩＰ通信網を経由して前記宛先と通信を行うことを特徴とする端末。
【請求項１１３】
ＩＰ通信網はアクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置がＩＣＳユーザフレームに含まれる第１の宛先ＩＣＳユーザアドレスを第２の宛先ＩＣＳユーザアドレスに変換し、前記変換されたＩＣＳユーザフレームを基に前記変換表を用いて着信側ＩＣＳ論理端子識別情報を含むＩＣＳネットワークフレームを形成して送出する機能を備え、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する機能を備え、前記ＩＰ通信網に接続されＩＣＳユーザフレームを送受信する機能と、宛先と通信を行うためのＩＣＳアドレスを用いて通信を行う機能とを備え、送信元及び宛先のＩＣＳユーザアドレスを含むＩＣＳユーザフレームを前記ＩＰ通信網に送出し、前記ＩＰ通信網は前記送出されたＩＣＳユーザフレームを受取り、前記受取った第１の宛先ＩＣＳユーザアドレスを含むＩＣＳユーザフレームを基に、前記第１の宛先ＩＣＳユーザアドレスに変換して第２の宛先ＩＣＳユーザアドレスを含むＩＣＳユーザフレームを形成し、前記形成されたＩＣＳユーザフレーム及び前記送出されたＩＣＳユーザフレームが入力したＩＣＳ論理端子を基に前記宛先が接続された着信側ＩＣＳ論理端子を決定して前記宛先に前記形成されたＩＣＳユーザフレームを送信し、前記宛先は前記送信されたＩＣＳユーザフレームを受取り、前記受取ったＩＣＳユーザフレーム内の送信元ＩＣＳユーザアドレスを基に前記ＩＰ通信網を経由して宛先に返信し、前記返信を受取り、以下同様に前記ＩＰ通信網を経由して前記宛先と通信を行うことを特徴とする端末。
【請求項１１４】
ＩＰ通信網はＩＣＳユーザフレームに含まれる第１の宛先ＩＣＳユーザアドレスを第２の宛先ＩＣＳユーザアドレスに変換する機能と、発信側ＩＣＳ論理端子及び変換されたＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備え、前記ＩＰ通信網に接続されＩＣＳユーザフレームを送受信する機能と、宛先と通信を行うためのＩＣＳアドレスを用いて通信を行う機能とを備え、送信元及び宛先のＩＣＳユーザアドレスを含むＩＣＳユーザフレームを前記ＩＰ通信網に送出し、前記ＩＰ通信網は前記送出されたＩＣＳユーザフレームを受取り、前記受取った第１の宛先ＩＣＳユーザアドレスを含むＩＣＳユーザフレームを基に、前記第１の宛先ＩＣＳユーザアドレスに変換して第２の宛先ＩＣＳユーザアドレスを含むＩＣＳユーザフレームを形成し、前記形成されたＩＣＳユーザフレーム及び前記受取ったＩＣＳユーザフレームが入力したＩＣＳ論理端子を基に前記宛先が接続された着信側ＩＣＳ論理端子を決定して前記宛先に前記形成されたＩＣＳユーザフレームを送信し、前記宛先は前記送信されたＩＣＳユーザフレームを受取り、前記受取ったＩＣＳユーザフレーム内の送信元ＩＣＳユーザアドレスを基に前記ＩＰ通信網を経由して宛先に返信し、前記返信を受取り、以下同様に前記ＩＰ通信網を経由して前記宛先と通信を行うことを特徴とする端末。
【請求項１１５】
請求項１０５又は１０６に記載のＩＰ通信網に接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記宛先と通信を行うためのＩＰアドレスを特定し、前記宛先に着信があることを通知し、前記通知を受けた宛先は応答を前記ＩＰ通信網を経由して返信し、前記返信を受取り前記特定したＩＰアドレスを用いて前記ＩＰ通信網を経由して前記宛先と通信を行うことを特徴とする端末。
【請求項１１６】
ＩＰ通信網と、公衆電話網を介して前記ＩＰ通信網に接続される複数の通信端末と、前記公衆電話網及び前記ＩＰ通信網の接続点並びに前記ＩＰ通信網内に配置された前記通信端末の通信の管理を行う複数のアクセス制御装置とを備え、前記アクセス制御装置は前記通信端末から前記ＩＰ通信網に対する接続要求と、前記通信端末の電話番号とを受付け、前記電話番号及びＩＰアドレスが１対１である情報を形成する方法は、前記ＩＰ通信網が公衆電話網に接続された前記端末からダイヤルアップの通信接続方法を用いて送られた電話番号を基に電話番号及びＩＰアドレスが１対１である情報を形成せず、前記通信端末のユーザの申し込みを基に前記ユーザが使用する電話番号及びＩＰアドレスが１対１である情報を形成する手段と、前記ユーザが使用する電話番号及びＩＰアドレスが１対１である情報を基に電話番号にＩＰアドレスを割り当てる手段と、前記端末が通信を行うために割り当てたＩＰアドレス及び前記通信端末の電話番号が登録されたマッピングテーブルと、前記電話番号に対応してルーティング情報が登録されたルーティングテーブルと、前記通信端末から他の前記通信端末に対する通信要求及び前記着信側の通信端末の電話番号を受付ける手段と、前記通信要求と共に受付けた電話番号に対応して前記ルーティングテーブルに登録されているルーティング情報を基に、前記着信側の通信端末への通信経路を決定し、前記通信経路で前記通信要求及び電話番号を転送する手段と、自装置が前記公衆電話網を介して前記着信側の通信端末と接続される前記アクセス制御装置である場合、前記通信要求と共に受付けた電話番号を前記マッピングテーブルで調べ、前記着信側の通信端末の前記ＩＰ通信網への接続の有無を判定する手段と、前記着信側の通信端末が前記ＩＰ通信網へ接続されている場合、前記通信端末へ前記通信要求を転送する手段とを具備したことを特徴とする通信システム。
【請求項１１７】
アクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置が前記変換表を用いてＩＣＳユーザフレームを基に着信側のＩＣＳ論理端子識別情報を含むＩＣＳネットワークフレームを形成して送出し、着信側アクセス制御装置が前記形成されたＩＣＳネットワークフレームを受取り、前記ＩＣＳネットワークフレーム内のＩＣＳ論理端子識別情報を基に前記着信側アクセス制御装置のＩＣＳ論理端子の決定を行っており、前記アクセス制御装置は無線通信路を経由して無線送受信機を含む端末と接続し、端末と接続し、前記無線送受信機を含む端末は少なくとも宛先端末の識別情報を含む情報を電波形式の情報に変換して無線通信路を経由して前記発信側アクセス制御装置に送出し、前記発信側アクセス制御装置は無線通信路を経由して受取った電波形式の情報を基にＩＣＳユーザフレームを形成し、前記ＩＰ通信網を経由して前記宛先端末の識別情報で指定された前記宛先端末に送信し、前記ＩＰ通信網を経由して前記無線送受信機を含む端末と前記宛先端末が通信を行うことを特徴とするＩＰ通信網。
【請求項１１８】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備え、無線通信路を経由して無線送受信機を含む端末と接続し、端末と接続し、前記無線送受信機を含む端末は少なくとも宛先端末の識別情報を含む情報を電波形式の情報に変換して無線通信路を経由して前記ＩＰ通信網に送出し、前記ＩＰ通信網は前記電波形式の情報を受取り、前記受取った電波形式の情報を基にＩＣＳユーザフレームを形成し、前記ＩＰ通信網を経由して前記宛先端末の識別情報で指定された前記宛先端末に送信し、前記ＩＰ通信網を経由して前記無線送受信機を含む端末と前記宛先端末が通信を行うことを特徴とするＩＰ通信網。
【請求項１１９】
ＩＰ通信網はアクセス制御装置を２以上含み、前記アクセス制御装置は変換表及び２以上のＩＣＳ論理端子を含み、前記変換表はＩＣＳ論理端子識別情報を形成する情報を含み、発信側アクセス制御装置が前記変換表を用いて、ＩＣＳユーザフレームを基に着信側のＩＣＳ論理端子識別情報を含むＩＣＳネットワークフレームを形成して送出し、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子の決定を行っており、前記アクセス制御装置及び無線通信路を経由して接続され、電波形式の情報を送受信する機能を備え、少なくとも送信元及び宛先の識別情報を含む情報を電波形式の情報に変換して無線通信路を経由して前記発信側アクセス制御装置に送出し、前記発信側アクセス制御装置は前記電波形式の情報を受取り、前記受取った電波形式の情報を基に前記ＩＰ通信網内を経由して前記宛先の識別情報で指定された前記宛先に送信し、前記宛先は前記少なくとも送信元及び宛先の識別情報を含む情報を受取り、前記受取った情報内の送信元識別情報を基に前記ＩＰ通信網を経由して返信し、前記返信を受取り、以下同様に前記ＩＰ通信網を経由して前記宛先と通信を行い、無線送受信機を含むことを特徴とする端末。
【請求項１２０】
ＩＰ通信網は、発信側ＩＣＳ論理端子及び外部の送信ＩＣＳユーザフレームに付与されたＩＣＳユーザアドレスを基に内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備え、無線通信路を経由して前記ＩＰ通信網に接続され電波形式の情報を送受信する機能を備え、少なくとも送信元及び宛先の識別情報を含む情報を電波形式の情報に変換して無線通信路を経由して前記ＩＰ通信網に送出し、前記ＩＰ通信網は前記電波形式の情報を受取り、前記受取った電波形式の情報を基に前記ＩＰ通信網内を経由して前記宛先の識別情報で指定された前記宛先に送信し、前記宛先は前記少なくとも送信元及び宛先の識別情報を含む情報を受取り、前記受取った情報内の送信元識別情報を基に前記ＩＰ通信網を経由して返信し、前記返信を受取り、以下同様に前記ＩＰ通信網を経由して前記宛先と通信を行い、無線送受信機を含むことを特徴とする端末。
【請求項１２１】
無線送受信機を含む端末及びＩＰ端末が、ＩＰ通信網を経由してＩＰパケットを送受して通信する方法であり、前記ＩＰ通信網はアクセス制御装置１及びアクセス制御装置２を含み、前記無線送受信機を含む端末は無線通信路を経て前記アクセス制御装置１に接続され、前記ＩＰ端末はユーザ通信回線を経て前記アクセス制御装置２に接続され、前記無線送受信機を含む端末はＩＰパケットを送受する機能を有し、前記無線送受信機を含む端末は前記無線通信路、前記アクセス制御装置１、前記ＩＰ通信網内の通信回線、前記アクセス制御装置２、前記ユーザ通信回線を経て前記ＩＰ端末に前記ＩＰパケットを送信し、前記ＩＰ端末は逆方向に、前記ユーザ通信回線、前記アクセス制御装置２、前記ＩＰ通信網内の通信回線、前記アクセス制御装置１、前記無線通信路を経て前記無線送受信機を含む端末に前記ＩＰパケットを送信するようになっていることを特徴とする通信方法。
【請求項１２２】
前記ＩＰパケットが前記ＩＰ通信網の内部において、ネットワーク制御部をへダーとして付与されたＩＰパケットを形成して転送されるようになっている請求項１２１に記載の通信方法。
【請求項１２３】
無線送受信機を含む端末がＩＰ通信網内部のサーバとの間でＩＰパケットを送受して通信する方法であり、前記ＩＰ通信網はアクセス制御装置を含み、無線端末は無線通信路を経て前記アクセス制御装置に接続され、前記無線端末はＩＰパケットを送受する機能を有し、前記無線端末は前記無線通信路、前記アクセス制御装置、前記ＩＰ通信網内の通信回線を経て前記サーバに第１のＩＰパケットを送信し、前記サーバは逆方向に、前記ＩＰ通信網内の通信回線、前記アクセス制御装置、前記無線通信路を経て前記無線端末に第２のＩＰパケットを送信するようになっていることを特徴とする通信方法。
【請求項１２４】
前記無線送受信機を含む端末の要求に基づいて、前記サーバが保持する情報を第３のＩＰパケットに格納して前記無線送受信機を含む端末に提供するようになっている請求項１２３に記載の通信方法。
【請求項１２５】
ＩＰ通信網はサーバ及び２以上の端末と通信接続され、前記サーバは前記端末に付与された電話番号を基にＩＰアドレスを特定する機能を備え、前記ＩＰ通信網を経由してインターネットプロトコルを用いて端末間で通信を行う方法において、宛先端末の電話番号に付与された電話番号を基に前記サーバを用いて前記宛先端末と通信を行うためのＩＰアドレスを特定する工程と、前記特定したＩＰアドレスを用いて前記端末が前記宛先端末と通信を行う工程と、前記ＩＰ通信網の利用ユーザの課金管理を行う工程とを備えたことを特徴とする方法。
【請求項１２６】
前記サーバがドメインネームサーバである請求項１２５に記載の方法。
【請求項１２７】
ＩＰ通信網は２以上のアクセス制御装置を含み、前記アクセス制御装置に接続された端末の送信元ＩＣＳユーザアドレスを前記アクセス制御装置に登録する工程と、前記アクセス制御装置が、前記端末から送信されたＩＣＳユーザフレームの送信元ＩＣＳユーザアドレスが前記アクセス制御装置に登録されている送信元ＩＣＳユーザアドレスに含まれる場合には、前記端末から送信されたＩＣＳユーザフレームを廃棄せず、前記端末が前記アクセス制御装置を経由して行う通信に用い、前記端末から送信されたＩＣＳユーザフレームの送信元ＩＣＳユーザアドレスが前記アクセス制御装置に登録されている送信元ＩＣＳユーザアドレスに含まれない場合には、前記送信されたＩＣＳユーザフレームを廃棄する工程とを含む第１手順と、前記ＩＰ通信網を経由してインターネットプロトコルを用いて端末間で通信を行う手順において、宛先端末の電話番号に付与された電話番号を基に前記宛先端末と通信を行うためのＩＰアドレスを特定する工程と、前記特定したＩＰアドレスを用いて前記端末が前記宛先端末と通信を行う工程とを備える第２手順とを含むことを特徴とする方法。
【請求項１２８】
ＩＰ通信網は表を含み、２以上の端末と通信接続され、前記表は送信者の送信元ＩＰアドレスを含み、前記ＩＰ通信網を経由して前記端末間で通信を行う方法において、前記表に含まれる送信元ＩＰアドレスを備えた前記端末から送信されたＩＰパケットは前記ＩＰ通信網が廃棄せず通信に用い、前記表に含まれない送信元ＩＰアドレスを備えた前記端末から送信されたＩＰパケットは前記ＩＰ通信網が廃棄して通信に用いない第１手順と、宛先端末に付与された電話番号を基に前記宛先端末と通信を行うためのＩＰアドレスを特定する工程と、前記特定したＩＰアドレスを用いて前記端末が前記宛先端末と通信を行う工程とを備える第２手順とを含むことを特徴とする方法。
【請求項１２９】
ＩＰ通信網は携帯電話無線回線を経由して通信接続された２以上の携帯電話機と通信接続され、前記携帯電話機間で前記ＩＰ通信網を経由してインターネットプロトコルを用いて通信を行う方法において、宛先携帯電話機の電話番号を基に前記宛先携帯電話機と通信を行うためのＩＰアドレスを特定する工程と、前記特定したＩＰアドレスを用いて前記携帯電話機が前記宛先携帯電話機と通信を行う工程とを備えたことを特徴とする方法。
【請求項１３０】
ＩＰ通信網は通信回線を経由して端末と通信接続され、携帯電話無線回線を経由して携帯電話機と通信接続され、前記端末と前記携帯電話機との間で前記ＩＰ通信網を経由してインターネットプロトコルを用いて通信を行う方法において、宛先携帯電話機の電話番号を基に宛先携帯電話機と通信を行うためのＩＰアドレスを特定する工程と、前記特定したＩＰアドレスを用いて前記端末が前記宛先携帯電話機と通信を行う工程とを備える第１手順と、宛先端末の電話番号を基に宛先端末と通信を行うためのＩＰアドレスを特定する工程と、前記特定したＩＰアドレスを用いて前記携帯電話機が前記端末と通信を行う工程とを備える第２手順とを含むことを特徴とする方法。
【請求項１３１】
ＩＰ通信網は公衆電話網を経由して電話機と通信接続され、携帯電話無線回線を経由して携帯電話機と通信接続され、前記電話機と前記携帯電話機との間で前記ＩＰ通信網を経由してインターネットプロトコルを用いて通信を行う方法において、宛先携帯電話機の電話番号を基に宛先携帯電話機と通信を行うためのＩＰアドレスを特定する工程と、前記特定したＩＰアドレスを用いて前記電話機が前記宛先携帯電話機と通信を行う工程とを備える第１手順と、宛先電話機の電話番号を基に宛先電話機と通信を行うためのＩＰアドレスを特定する工程と、前記特定したＩＰアドレスを用いて前記携帯電話機が前記電話機と通信を行う工程とを備える第２手順とを含むことを特徴とする方法。
【請求項１３２】
ＩＰ通信網は無線通信路を経由して通信接続された２以上の無線送受信機を含む端末と通信接続され、前記無線送受信機を含む端末と無線送受信機を含む端末との間で前記ＩＰ通信網を経由してインターネットプロトコルを用いて通信を行う方法において、宛先無線送受信機を含む端末の電話番号を基に前記宛先無線送受信機を含む端末と通信を行うためのＩＰアドレスを特定する工程と、前記特定したＩＰアドレスを用いて前記無線送受信機を含む端末が前記宛先無線送受信機を含む端末と通信を行う工程とを備えることを特徴とする方法。
【請求項１３３】
ＩＰ通信網は無線通信路を経由して通信接続された無線送受信機を含む端末と通信接続され、携帯電話無線回線を経由して携帯電話機と通信接続され、前記端末と前記携帯電話機との間で前記ＩＰ通信網を経由してインターネットプロトコルを用いて通信を行う方法において、宛先携帯電話機の電話番号を基に宛先携帯電話機と通信を行うためのＩＰアドレスを特定する工程と、前記特定したＩＰアドレスを用いて前記端末が前記宛先携帯電話機と通信を行う工程とを備える第１手順と、宛先端末の電話番号を基に宛先端末と通信を行うためのＩＰアドレスを特定する工程と、前記特定したＩＰアドレスを用いて前記携帯電話機が前記端末と通信を行う工程とを備える第２手順とを含むことを特徴とする方法。
【請求項１３４】
ＩＰ通信網は通信回線を経由して端末と通信接続され、無線通信路を経由して通信接続された無線送受信機を含む端末と通信接続され、前記端末と無線送受信機を含む端末との間で前記ＩＰ通信網を経由してインターネットプロトコルを用いて通信を行う方法において、宛先無線送受信機を含む端末の電話番号を基に前記宛先無線送受信機を含む端末と通信を行うためのＩＰアドレスを特定する工程と、前記特定したＩＰアドレスを用いて前記端末が前記宛先無線送受信機を含む端末と通信を行う工程とを備える第１手順と、宛先端末の電話番号を基に前記宛先端末と通信を行うためのＩＰアドレスを特定する工程と、前記特定したＩＰアドレスを用いて前記無線送受信機を含む端末が前記宛先端末と通信を行う工程とを備える第２手順とを含むことを特徴とする方法。
【請求項１３５】
ＩＰ通信網は公衆電話網を経由して電話機と通信接続され、無線通信路を経由して通信接続された無線送受信機を含む端末と通信接続され、前記電話機と無線送受信機を含む端末との間で前記ＩＰ通信網を経由してインターネットプロトコルを用いて通信を行う方法において、宛先無線送受信機を含む端末の電話番号を基に前記宛先無線送受信機を含む端末と通信を行うためのＩＰアドレスを特定する工程と、前記特定したＩＰアドレスを用いて前記電話機が前記宛先無線送受信機を含む端末と通信を行う工程とを備える第１手順と、宛先電話機の電話番号を基に宛先電話機と通信を行うためのＩＰアドレスを特定する工程と、前記特定したＩＰアドレスを用いて前記無線送受信機を含む端末が前記電話機と通信を行う工程とを備える第２手順とを含むことを特徴とする方法。
【請求項１３６】
ＩＰ通信網はサーバ及び無線通信路を経由して無線送受信機を備えた２以上の端末と通信接続され、前記サーバは電話番号を基にＩＰアドレスを特定する工程を備え、前記端末間で前記ＩＰ通信網を経由してインターネットプロトコルを用いて通信を行う方法において、宛先端末に付与された電話番号を基に前記サーバを用いて前記宛先端末と通信を行うためのＩＰアドレスを特定する工程と、前記特定したＩＰアドレスを用いて前記端末が前記宛先端末と通信を行う工程とを備えることを特徴とする方法。
【請求項１３７】
前記サーバがドメインネームサーバである請求項１３６に記載の方法。
【請求項１３８】
ＩＰ通信網の利用ユーザの課金管理を行う工程を含んでいる請求項１２７乃至１３７のいずれかに記載の方法。
【請求項１３９】
サーバ及び２以上の端末と通信接続され、前記サーバは前記端末に付与された電話番号を基にＩＰアドレスを特定する手段を備え、通信網を経由してインターネットプロトコルを用いて端末間で通信を行う機能を有し、宛先端末の電話番号に付与された電話番号を基に前記サーバを用いて前記宛先端末と通信を行うためのＩＰアドレスを特定する機能と、前記特定したＩＰアドレスを用いて前記端末が前記宛先端末と通信を行う機能と、前記通信網の利用ユーザの課金管理を行う機能を備えたことを特徴とするＩＰ通信網。
【請求項１４０】
前記サーバがドメインネームサーバである請求項１３９に記載のＩＰ通信網。
【請求項１４１】
表を含み、２以上の端末と通信接続され、前記表は送信者の送信元ＩＰアドレスを含み、通信網を経由して前記端末間で通信を行う機能を有するＩＰ通信網において、前記表に含まれる送信元ＩＰアドレスを備えた前記端末から送信されたＩＰパケットは前記ＩＰ通信網が廃棄せず通信に用い、前記表に含まれない送信元ＩＰアドレスを備えた前記端末から送信されたＩＰパケットは、前記ＩＰ通信網が廃棄する機能と、宛先端末に付与された電話番号を基に前記宛先端末と通信を行うためのＩＰアドレスを特定する機能と、前記特定したＩＰアドレスを用いて前記端末が前記宛先端末と通信を行う機能とを備えたことを特徴とするＩＰ通信網。
【請求項１４２】
携帯電話無線回線を経由して通信接続された２以上の携帯電話機と通信接続され、前記携帯電話機間で通信網を経由してインターネットプロトコルを用いて通信を行う機能を有するＩＰ通信網において、宛先携帯電話機の電話番号を基に前記宛先携帯電話機と通信を行うためのＩＰアドレスを特定する機能と、前記特定したＩＰアドレスを用いて前記携帯電話機が前記宛先携帯電話機と通信を行う機能とを備えたことを特徴とするＩＰ通信網。
【請求項１４３】
通信回線を経由して端末と接続され、携帯電話無線回線を経由して携帯電話機と通信接続され、前記端末と前記携帯電話機との間で前記ＩＰ通信網を経由してインターネットプロトコルを用いて通信を行う機能を有するＩＰ通信網において、宛先携帯電話機の電話番号を基に前記宛先携帯電話機と通信を行うためのＩＰアドレスを特定する機能と、前記特定したＩＰアドレスを用いて前記端末が前記宛先携帯電話機と通信を行う機能と、宛先端末の電話番号を基に前記宛先端末と通信を行うためのＩＰアドレスを特定する機能と、前記特定したＩＰアドレスを用いて前記携帯電話機が前記宛先端末と通信を行う機能とを備えたことを特徴とするＩＰ通信網。
【請求項１４４】
公衆電話網を経由して電話機と接続され、携帯電話無線回線を経由して携帯電話機と通信接続され、前記電話機と前記携帯電話機との間で前記ＩＰ通信網を経由してインターネットプロトコルを用いて通信を行う機能を有するＩＰ通信網において、宛先携帯電話機の電話番号を基に前記宛先携帯電話機と通信を行うためのＩＰアドレスを特定する機能と、前記特定したＩＰアドレスを用いて前記電話機が前記宛先携帯電話機と通信を行う機能と、宛先電話機の電話番号を基に前記宛先電話機と通信を行うためのＩＰアドレスを特定する機能と、前記特定したＩＰアドレスを用いて前記携帯電話機が前記宛先電話機と通信を行う機能とを備えたことを特徴とするＩＰ通信網。
【請求項１４５】
無線通信路を経由して通信接続された２以上の無線送受信機を含む端末と通信接続され、前記無線送受信機を含む端末と無線送受信機を含む端末との間で前記ＩＰ通信網を経由してインターネットプロトコルを用いて通信を行う機能を有するＩＰ通信網において、宛先無線送受信機を含む端末の電話番号を基に前記宛先無線送受信機を含む端末と通信を行うためのＩＰアドレスを特定する機能と、前記特定したＩＰアドレスを用いて前記無線送受信機を含む端末が前記宛先無線送受信機を含む端末と通信を行う機能とを備えたことを特徴とするＩＰ通信網。
【請求項１４６】
通信回線を経由して端末と通信接続され、無線通信路を経由して無線送受信機を含む端末と通信接続され、前記端末と前記無線送受信機を含む端末との間で前記ＩＰ通信網を経由してインターネットプロトコルを用いて通信を行う機能を有するＩＰ通信網において、宛先無線送受信機を含む端末の電話番号を基に前記宛先無線送受信機を含む端末と通信を行うためのＩＰアドレスを特定する機能と、前記特定したＩＰアドレスを用いて前記端末が前記宛先無線送受信機を含む端末と通信を行う機能と、宛先端末の電話番号を基に前記宛先端末と通信を行うためのＩＰアドレスを特定する機能と、前記特定したＩＰアドレスを用いて前記無線送受信機を含む端末が前記宛先端末と通信を行う機能とを備えたことを特徴とするＩＰ通信網。
【請求項１４７】
公衆電話網を経由して電話機と通信接続され、無線通信路を経由して無線送受信機を含む端末と通信接続され、前記電話機と前記無線送受信機を含む端末との間で前記ＩＰ通信網を経由してインターネットプロトコルを用いて通信を行う機能を有するＩＰ通信網において、宛先無線送受信機を含む端末の電話番号を基に前記宛先無線送受信機を含む端末と通信を行うためのＩＰアドレスを特定する機能と、前記特定したＩＰアドレスを用いて前記電話機が前記宛先無線送受信機を含む端末と通信を行う機能と、宛先電話機の電話番号を基に前記宛先電話機と通信を行うためのＩＰアドレスを特定する機能と、前記特定したＩＰアドレスを用いて前記無線送受信機を含む端末が前記宛先電話機と通信を行う機能とを備えたことを特徴とするＩＰ通信網。
【請求項１４８】
無線通信路を経由して通信接続された無線送受信機を含む端末と通信接続され、携帯電話無線回線を経由して携帯電話機と通信接続され、前記端末と前記携帯電話機との間で前記ＩＰ通信網を経由してインターネットプロトコルを用いて通信を行う機能を有するＩＰ通信網において、宛先携帯電話機の電話番号を基に宛先携帯電話機と通信を行うためのＩＰアドレスを特定する機能と、前記特定したＩＰアドレスを用いて前記端末が前記宛先携帯電話機と通信を行う機能と、宛先端末の電話番号を基に宛先端末と通信を行うためのＩＰアドレスを特定する機能と、前記特定したＩＰアドレスを用いて前記携帯電話機が前記端末と通信を行う機能とを備えたことを特徴とするＩＰ通信網。
【請求項１４９】
サーバと接続され、無線通信路を経由して無線送受信機を備えた２以上の端末と通信接続され、前記サーバは電話番号を基にＩＰアドレスを特定する工程を含み、前記端末間で前記ＩＰ通信網を経由してインターネットプロトコルを用いて通信を行う機能を有するＩＰ通信網において、宛先端末に付与された電話番号を基に前記サーバを用いて前記宛先端末と通信を行うためのＩＰアドレスを特定する機能と、前記特定したＩＰアドレスを用いて前記端末が前記宛先端末と通信を行う機能とを備えることを特徴とするＩＰ通信網。
【請求項１５０】
前記サーバがドメインネームサーバである請求項１４９に記載のＩＰ通信網。
【請求項１５１】
利用ユーザの課金管理を行う機能を含んでいる請求項１４１乃至１５０のいずれかに記載のＩＰ通信網。
【請求項１５２】
ＩＰ通信網を経由してインターネットプロトコルを用いて通信を行う機能を有する端末において、前記ＩＰ通信網は、宛先に付与された電話番号を基に前記宛先と通信を行うためのＩＰアドレスを特定する機能と、前記特定したＩＰアドレスを用いて前記宛先と通信を行う機能と、前記ＩＰ通信網の利用ユーザの課金管理を行う機能とを備え、前記ＩＰ通信網に接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記ＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項１５３】
ＩＰ通信網はサーバと通信接続され、前記サーバは前記端末に付与された電話番号を基にＩＰアドレスを特定する手段を備え、前記ＩＰ通信網を経由してインターネットプロトコルを用いて通信を行う機能を有する端末において、前記ＩＰ通信網は、宛先に付与された電話番号を基に前記サーバを用いて前記宛先と通信を行うためのＩＰアドレスを特定する機能と、前記特定したＩＰアドレスを用いて前記宛先と通信を行う機能と、前記ＩＰ通信網の利用ユーザの課金管理を行う機能を備え、前記ＩＰ通信網に接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記ＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項１５４】
ＩＰ通信網は表を含み、前記表は送信者の送信元ＩＰアドレスを含み、前記ＩＰ通信網を経由して通信を行う機能を有する端末において、前記表に含まれる送信元ＩＰアドレスを備えたＩＰパケットは、前記ＩＰ通信網が廃棄せず通信に用い、前記表に含まれない送信元ＩＰアドレスを備えたＩＰパケットは、前記ＩＰ通信網が廃棄する機能と、宛先に付与された電話番号を基に前記宛先と通信を行うためのＩＰアドレスを特定する機能と、前記特定したＩＰアドレスを用いて前記宛先と通信を行う機能とを備え、前記ＩＰ通信網に接続され、前記ＩＰ通信網を経由して前記宛先と通信を行うために電話番号を送出する機能と、前記宛先と通信を行うためのＩＰアドレスを用いて通信を行う機能とを備え、前記宛先の電話番号を前記ＩＰ通信網に送出し、前記ＩＰ通信網は前記送出された電話番号を受取り、前記ＩＰアドレスを特定して返信し、前記特定したＩＰアドレスを取得し、前記取得したＩＰアドレスを用いて前記ＩＰ通信網を経由して前記宛先と通信を行うことを特徴とする端末。
【請求項１５５】
ＩＰ通信網を経由してインターネットプロトコルを用いて通信を行う機能を有する携帯電話機において、前記ＩＰ通信網は、宛先の電話番号を基に前記宛先と通信を行うためのＩＰアドレスを特定する機能と、前記特定したＩＰアドレスを用いて前記宛先と通信を行う機能とを備え、前記ＩＰ通信網に携帯電話無線回線を経由して接続され、電話番号を送出する機能と、前記宛先と通信を行う機能とを備え、前記宛先の電話番号を前記ＩＰ通信網に送出し、前記ＩＰ通信網は前記送出された電話番号を受取り、前記受取った電話番号を基に前記宛先と通信を行うためのＩＰアドレスを特定し、前記特定したＩＰアドレスを用いて前記ＩＰ通信網を経由して前記宛先と通信を行うことを特徴とする携帯電話機。
【請求項１５６】
ＩＰ通信網を経由してインターネットプロトコルを用いて通信を行う機能を有する端末において、前記ＩＰ通信網は、宛先の電話番号を基に前記宛先と通信を行うためのＩＰアドレスを特定する機能と、前記特定したＩＰアドレスを用いて前記宛先と通信を行う機能とを備え、前記ＩＰ通信網に無線通信路を経由して通信接続され、電話番号を送出する機能と、前記宛先と通信を行う機能とを備え、前記宛先の電話番号を前記ＩＰ通信網に送出し、前記ＩＰ通信網は前記送出された電話番号を受取り、前記受取った電話番号を基に前記宛先と通信を行うためのＩＰアドレスを特定し、前記特定したＩＰアドレスを用いて前記ＩＰ通信網を経由して前記宛先と通信を行い、無線送受信機を含むことを特徴とする端末。
【請求項１５７】
ＩＰ通信網はサーバと接続され、前記サーバは電話番号を基にＩＰアドレスを特定する工程を含み、前記ＩＰ通信網を経由してインターネットプロトコルを用いて通信を行う機能を有する端末において、前記サーバを用いて宛先の電話番号を基に前記宛先と通信を行うためのＩＰアドレスを特定する機能と、前記特定したＩＰアドレスを用いて前記宛先と通信を行う機能とを備え、前記ＩＰ通信網に無線通信路を経由して通信接続され、電話番号を送出する機能と、前記宛先と通信を行う機能とを備え、前記宛先の電話番号を前記ＩＰ通信網に送出し、前記ＩＰ通信網は前記送出された電話番号を受取り、前記受取った電話番号を基に前記サーバを用いて前記宛先と通信を行うためのＩＰアドレスを特定し、前記特定したＩＰアドレスを用いて前記ＩＰ通信網を経由して前記宛先と通信を行い、無線送受信機を含むことを特徴とする端末。
【請求項１５８】
前記サーバがドメインネームサーバである請求項１５７に記載の端末。
【請求項１５９】
２以上の端末及び公衆電話網と通信接続され、前記公衆電話網には電話機が接続され、宛先端末に付与された電話番号を基に前記宛先端末と通信を行うために用いるためのＩＰアドレスを特定する機能と、前記特定したＩＰアドレスを用いて前記宛先端末と通信を行う機能と、利用ユーザの課金管理を行う機能とを備え、前記公衆電話網を経由して前記端末が前記電話機と通信を行うことを特徴とするＩＰ通信網。
【請求項１６０】
表を含み、端末及び公衆電話網と通信接続され、前記公衆電話網には電話機が接続され、前記表に含まれる送信元ＩＰアドレスを備えた前記端末から送信されたＩＰパケットは廃棄せず通信に用い、前記表に含まれない送信元ＩＰアドレスを備えた前記端末から送信されたＩＰパケットは廃棄する機能と、宛先端末に付与された電話番号を基に前記宛先端末と通信を行うために用いるためのＩＰアドレスを特定する機能と、前記特定したＩＰアドレスを用いて前記宛先端末と通信を行う機能とを備え、前記公衆電話網を経由して前記端末が前記電話機と通信を行うことを特徴とするＩＰ通信網。
【請求項１６１】
公衆電話網及び２以上のＩＰ端末と接続され、前記公衆電話網には電話機が接続され、前記ＩＰ端末は通信回線を経由して常時接続され、前記公衆電話網を経由したダイヤルアップ通信接続を行わず、宛先ＩＰ端末に付与された電話番号を基に前記宛先ＩＰ端末と通信を行うために用いるためのＩＰアドレスを特定する機能と、前記特定したＩＰアドレスを用いて前記宛先ＩＰ端末と通信を行う機能とを備え、前記電話機から発信して前記公衆電話網を経由して、前記電話機が前記ＩＰ端末と通信を行うことを特徴とするＩＰ通信網。
【請求項１６２】
発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能と、宛先端末の電話番号を基に前記宛先端末と通信を行うために用いるためのＩＰアドレスを特定する機能と、前記特定したＩＰアドレスを用いて前記宛先端末と通信を行う機能とを備えており、公衆電話網及び２以上の端末と接続され、前記公衆電話網には電話機が接続され、前記ＩＰ通信網に接続された前記端末と前記公衆電話網に接続された前記電話機との間で通信を行うことを特徴とするＩＰ通信網。
【請求項１６３】
公衆電話網と接続し、ＩＰ通信網と接続し、前記公衆電話網には電話機が接続され、前記ＩＰ通信網には端末が接続され、前記ＩＰ通信網は宛先端末に付与された電話番号を基に、前記宛先端末と通信を行うために用いるＩＰアドレスを特定する機能と、特定したＩＰアドレスを用いて前記宛先端末と通信を行う機能と、前記ＩＰ通信網の利用ユーザの課金管理を行う機能とを備えており、前記公衆電話網及び前記ＩＰ通信網を経由して前記電話機と前記端末との間で電話通信を行い、前記電話通信が経由することを特徴とする公衆電話網とＩＰ通信網を接続する装置。
【請求項１６４】
公衆電話網と接続され、ＩＰ通信網と接続され、前記公衆電話網には電話機が接続され、前記ＩＰ通信網には端末が接続され、前記ＩＰ通信網は発信側ＩＣＳ論理端子と外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能と、宛先端末の電話番号を基に前記宛先端末と通信を行うために用いるためのＩＰアドレスを特定する機能と、前記特定したＩＰアドレスを用いて前記宛先端末と通信を行う機能とを備えており、前記公衆電話網及び前記ＩＰ通信網を経由して前記電話機と前記端末との間で電話通信を行い、前記電話通信が経由することを特徴とする公衆電話網とＩＰ通信網を接続する装置。
【請求項１６５】
公衆電話網と接続され、ＩＰ通信網と接続され、前記公衆電話網には電話機が接続され、前記ＩＰ通信網には２以上の端末が接続され、前記ＩＰ通信網は表を含み、前記表に含まれる送信元ＩＰアドレスを備えた前記端末から送信されたＩＰパケットは前記ＩＰ通信網が廃棄せず通信に用い、前記表に含まれない送信元ＩＰアドレスを備えた前記端末から送信されたＩＰパケットは、前記ＩＰ通信網が廃棄する機能と、宛先端末に付与された電話番号を基に前記宛先端末と通信を行うために用いるＩＰアドレスを特定する機能と、前記特定したＩＰアドレスを用いて前記宛先端末と通信を行う機能とを備えており、前記公衆電話網及び前記ＩＰ通信網を経由して前記電話機と前記端末との間で電話通信を行い、前記電話通信が経由することを特徴とする公衆電話網とＩＰ通信網を接続する装置。
【請求項１６６】
公衆電話網と接続され、ＩＰ通信網と接続され、前記公衆電話網には電話機が接続され、前記ＩＰ通信網には通信回線を経由して常時接続するＩＰ端末が接続され、前記ＩＰ端末は公衆電話網を経由したダイヤルアップ通信接続を行わず、前記ＩＰ通信網は、宛先ＩＰ端末に付与された電話番号を基に前記宛先ＩＰ端末と通信を行うために用いるためのＩＰアドレスを特定する機能と、前記特定したＩＰアドレスを用いて前記宛先ＩＰ端末と通信を行う機能とを備え、前記電話機が前記ＩＰ端末に付与された電話番号を用いて発信し、前記公衆電話網及び前記ＩＰ通信網を経由して前記ＩＰ端末と電話通信を行い、前記電話通信が経由することを特徴とする公衆電話網とＩＰ通信網を接続する装置。
【請求項１６７】
２以上の端末と通信接続され、前記端末の送信元ＩＣＳユーザアドレス情報を含み、前記ＩＰ通信網を経由してインターネットプロトコルを用いて前記端末間で通信を行うと共に、前記ＩＰ通信網は、前記端末から送信されたＩＣＳユーザフレームの送信元ＩＣＳユーザアドレスが前記送信元ＩＣＳユーザアドレス情報に含まれる場合には、前記ＩＰ通信網を経由して前記端末間で通信を行う機能と、前記端末から送信されたＩＣＳユーザフレームの送信元ＩＣＳユーザアドレスが前記送信元ＩＣＳユーザアドレス情報に含まれない場合には、前記端末から送信されたＩＣＳユーザフレームを廃棄する機能とを備えたことを特徴とするＩＰ通信網。
【請求項１６８】
ＩＰ通信網は２以上の端末と通信接続され、前記端末の送信元ＩＰアドレス情報を含み、前記ＩＰ通信網を経由してインターネットプロトコルを用いて前記端末間で通信を行うと共に、前記ＩＰ通信網は、前記端末から送信されたＩＰパケットの送信元ＩＰアドレスが前記送信元ＩＰアドレス情報に含まれる場合には、前記ＩＰ通信網を経由して前記端末間で通信を行う機能と、前記端末から送信されたＩＰパケット内の送信元ＩＰアドレスが前記送信元ＩＰアドレス情報に含まれないＩＰパケットであることを特定する機能と、前記特定したＩＰパケットを廃棄する機能とを備えたことを特徴とするＩＰ通信網。
【請求項１６９】
表を含み、２以上の端末と接続され、前記表に前記端末の送信元ＩＣＳユーザアドレスを登録する機能と、前記端末から送信されたＩＣＳユーザフレームの送信元ＩＣＳユーザアドレスが前記表に登録されている送信元ＩＣＳユーザアドレスに含まれる場合には、前記端末が前記ＩＰ通信網を経由して通信を行う機能と、前記ＩＰ通信網に接続された端末から送信されたＩＣＳユーザフレームの送信元ＩＣＳユーザアドレスが前記表に登録されている送信元ＩＣＳユーザアドレスに含まれない場合には、前記送信されたＩＣＳユーザフレームを廃棄する機能とを備えたことを特徴とするＩＰ通信網。
【請求項１７０】
２以上のアクセス制御装置を含み、前記アクセス制御装置は２以上の端末と接続され、前記アクセス制御装置に接続された前記端末の送信元ＩＣＳユーザアドレスを前記アクセス制御装置に登録する機能と、前記アクセス制御装置が、前記端末から送信されたＩＣＳユーザフレームの送信元ＩＣＳユーザアドレスが前記アクセス制御装置に登録されている送信元ＩＣＳユーザアドレスに含まれる場合には、前記端末が前記アクセス制御装置を経由して通信を行う機能と、前記端末から送信されたＩＣＳユーザフレームの送信元ＩＣＳユーザアドレスが前記アクセス制御装置に登録されている送信元ＩＣＳユーザアドレスに含まれない場合には、前記送信されたＩＣＳユーザフレームを廃棄する機能とを備えたことを特徴とするＩＰ通信網。
【請求項１７１】
２以上の端末と通信接続され、前記端末の送信元ＩＣＳユーザアドレス情報を含み、前記ＩＰ通信網を経由してインターネットプロトコルを用いて前記端末間で通信を行うと共に、前記ＩＰ通信網は、前記端末から送信されたＩＣＳユーザフレームの送信元ＩＣＳユーザアドレスが前記送信元ＩＣＳユーザアドレス情報に含まれる場合には、前記ＩＰ通信網を経由して前記端末間で通信を行う機能と、前記端末から送信されたＩＣＳユーザフレームの送信元ＩＣＳユーザアドレスが前記送信元ＩＣＳユーザアドレス情報に含まれない場合には、前記端末から送信されたＩＣＳユーザフレームを廃棄する機能と、発信側ＩＣＳ論理端子及び外部の送信ＩＣＳユーザフレームに付与されたＩＣＳユーザアドレスを基に、内部のＩＣＳネットワークフレームのＩＣＳネットワークアドレスを決定する機能と、前記決定されたＩＣＳネットワークアドレスを基に前記ＩＣＳネットワークフレームを送信すべき着信側ＩＣＳ論理端子を決定する機能とを備えたことを特徴とするＩＰ通信網。
【請求項１７２】
表を含み、２以上の端末と接続され、前記表に送信元ＩＣＳユーザアドレスを登録する機能と、前記端末から送信されたＩＣＳユーザフレームの送信元ＩＣＳユーザアドレスが前記表に登録されている送信元ＩＣＳユーザアドレスに含まれる場合には、前記端末が前記ＩＰ通信網を経由して通信を行う機能と、前記ＩＰ通信網に接続された端末から送信されたＩＣＳユーザフレームの送信元ＩＣＳユーザアドレスが前記表に登録されている送信元ＩＣＳユーザアドレスに含まれない場合には、前記送信されたＩＣＳユーザフレームを廃棄する機能と、発信側ＩＣＳ論理端子及び外部の送信ＩＣＳユーザフレームに含まれるＩＣＳユーザアドレスを基に着信側ＩＣＳ論理端子識別情報を含む内部のＩＣＳネットワークフレームを決定し、前記決定されたＩＣＳネットワークアドレスを基に前記ＩＣＳネットワークフレームを送信すべき着信側ＩＣＳ論理端子を決定する機能とを備えたことを特徴とするＩＰ通信網。
【請求項１７３】
アクセス制御装置を２以上含み、前記アクセス制御装置は２以上の端末と接続され、通信網を経由した端末間の通信において、前記通信網は、前記アクセス制御装置に接続された前記端末の送信元ＩＣＳユーザアドレスを前記アクセス制御装置に登録する機能と、前記アクセス制御装置が、前記端末から送信されたＩＣＳユーザフレームの送信元ＩＣＳユーザアドレスが前記アクセス制御装置に登録されている送信元ＩＣＳユーザアドレスに含まれる場合には、前記アクセス制御装置及び前記ＩＰ通信網を経由して端末間で通信を行う機能と、前記アクセス制御装置が前記端末から送信されたＩＣＳユーザフレームの送信元ＩＣＳユーザアドレスが前記アクセス制御装置に登録されている送信元ＩＣＳユーザアドレスに含まれない場合には、前記ＩＣＳユーザフレームを廃棄する機能と、発信側アクセス制御装置が、発信側ＩＣＳ論理端子及び前記ＩＣＳユーザフレームを基に着信側ＩＣＳ論理端子識別情報を含むＩＣＳネットワークフレームを形成して送出する機能と、着信側アクセス制御装置が前記ＩＣＳネットワークフレームを受取り、前記ＩＣＳネットワークフレーム内のＩＣＳ論理端子識別情報を基に前記着信側アクセス制御装置のＩＣＳ論理端子を決定する機能とを備えたことを特徴とするＩＰ通信網。
【請求項１７４】
ＩＰ通信網の内部に２以上設置され、２以上の端末と接続され、前記端末の送信元ＩＣＳユーザアドレスの登録を行う機能と、前記端末から送信されたＩＣＳユーザフレームの送信元ＩＣＳユーザアドレスが登録されている送信元ＩＣＳユーザアドレスに含まれる場合には、前記端末が前記ＩＣＳユーザフレームを用いて経由して宛先端末と通信を行う機能と、前記端末から送信されたＩＣＳユーザフレームの送信元ＩＣＳユーザアドレスが登録されている送信元ＩＣＳユーザアドレスに含まれない場合には、前記送信されたＩＣＳユーザフレームを廃棄する機能とを備えたことを特徴とするアクセス制御装置。
【請求項１７５】
ＩＰ通信網の内部に２以上設置され、２以上の端末と接続され、表を含み、前記表に送信元ＩＣＳユーザアドレスを登録する機能と、前記端末から送信されたＩＣＳユーザフレームの送信元ＩＣＳユーザアドレスが前記表に登録されている送信元ＩＣＳユーザアドレスに含まれる場合には、前記端末が経由して宛先端末と通信を行う機能と、前記端末から送信されたＩＣＳユーザフレームの送信元ＩＣＳユーザアドレスが前記表に登録されている送信元ＩＣＳユーザアドレスに含まれない場合には、前記送信されたＩＣＳユーザフレームを廃棄する機能と、発信側ＩＣＳ論理端子及び外部の送信ＩＣＳユーザフレームに付与されたＩＣＳユーザアドレスを基に内部のＩＣＳネットワークフレームのＩＣＳネットワークアドレスを決定し、前記決定されたＩＣＳネットワークアドレスを基に前記ＩＣＳネットワークフレームを送信すべき着信側ＩＣＳ論理端子を決定する機能とを備えたことを特徴とするアクセス制御装置。
【請求項１７６】
ＩＣＳ論理端子に２以上含まれ、各ＩＣＳ論理端子には端末が接続され、前記端末の送信元ＩＣＳユーザアドレスを登録する機能と、前記端末から送信されたＩＣＳユーザフレームの送信元ＩＣＳユーザアドレスが登録されている送信元ＩＣＳユーザアドレスに含まれる場合には、前記端末が前記ＩＣＳユーザフレームを用いて宛先端末と通信を行う機能と、前記端末から送信されたＩＣＳユーザフレームの送信元ＩＣＳユーザアドレスが登録されている送信元ＩＣＳユーザアドレスに含まれない場合には、前記送信されたＩＣＳユーザフレームを廃棄する機能と、発信側アクセス制御装置が、発信側ＩＣＳ論理端子と前記端末から送信されたＩＣＳユーザフレームを基に着信側のＩＣＳ論理端子識別情報を含むＩＣＳネットワークフレームを形成して送出する機能と、着信側アクセス制御装置が前記ＩＣＳネットワークフレームを受取り、前記ＩＣＳネットワークフレーム内のＩＣＳ論理端子識別情報を基に前記着信側ＩＣＳ論理端子を決定する機能とを備えたことを特徴とするアクセス制御装置。
【請求項１７７】
表及び２以上の論理端子を含み、前記表はＩＰパケットの送信元アドレス及び宛先アドレスを含む論理端子識別情報を備え、ＩＰパケットが論理端子を経由して入力され、前記ＩＰパケットが経由して入力した前記論理端子の識別情報と、前記ＩＰパケット内部に含まれる送信元アドレスと、宛先アドレスとの３組が前記表により定まるときはＩＰパケットを送出する通信回線を決定し、前記ＩＰパケットを前記決定した通信回線に送出することを特徴とするＩＰパケットを転送するための装置。
【請求項１７８】
前記表の新しい要素として、少なくともＩＰパケットの送信元アドレス、宛先アドレスを含む論理端子識別情報の新規項目を作成し、前記新規項目をＩＰパケットを送出する通信回線の決定に用いるようになっている請求項１７７に記載のＩＰパケットを転送するための装置。
【請求項１７９】
表及び２以上の論理端子を含み、前記表は外部パケットの送信元アドレス及び宛先アドレスを含む論理端子識別情報を備え、前記表は内部パケットの論理端子識別情報を形成する情報を含み、外部パケットがユーザ通信回線から論理端子を経由して発信側装置に入力され、前記発信側装置は、前記外部パケットが入力した前記論理端子の識別情報と、前記外部パケット内部に含まれる送信元アドレスと、宛先アドレスとの３組が前記表により定まるときは、前記外部パケットを基に着信側論理端子識別情報を含む内部パケットを形成し、前記形成された内部パケットを送出する通信回線を決定して、前記形成された内部パケットを前記通信回線に送出することを特徴とするＩＰパケットを転送するための装置。
【請求項１８０】
２以上の論理端子を含み、発信側が形成した着信側論理端子識別情報を含む内部パケットが通信回線から入力されると、着信側装置は、前記形成された内部パケット内の論理端子識別情報を基に、前記形成された内部パケットから前記外部パケットが復元され送出される前記着信側論理端子を決定し、前記決定した論理端子を経由し、前記復元される外部パケットがユーザ通信回線に送出されることを特徴とするＩＰパケットを転送するための装置。
【請求項１８１】
前記表の新しい要素として、少なくともＩＰパケットの送信元アドレス、宛先アドレスを含む論理端子識別情報の新規項目を作成し、前記新規項目を通信回線の決定に用いるようになっている請求項１８０に記載のＩＰパケットを転送するための装置。
【請求項１８２】
変換表と、外部のＩＣＳユーザフレームが入出力する２以上のＩＣＳ論理端子とを含み、内部の通信回線と接続され、前記変換表はＩＣＳ論理端子識別情報を形成する情報及び発信優先度を規定した情報を含み、発信側アクセス制御装置の機能として、入力された外部のＩＣＳユーザフレーム及び前記変換表を基に着信側ＩＣＳ論理端子識別情報を含む内部のＩＣＳネットワークフレームを形成し、前記変換表の内部に含まれる前記発信優先度を規定した情報を基に内部のＩＣＳネットワークフレームの前記内部の通信回線への送出順序を決定し、前記ＩＣＳネットワークフレームを前記決定された送出順序に従って前記内部の通信回線に送出することにより、内部のＩＣＳネットワークフレームの送出順序を制御することを特徴とするアクセス制御装置。
【請求項１８３】
変換表と、外部のＩＣＳユーザフレームが入出力する２以上のＩＣＳ論理端子とを含み、内部の通信回線と接続され、前記ＩＣＳ論理端子は外部の通信回線と接続され、前記変換表は入力された内部のＩＣＳネットワークフレームを基に前記ＩＣＳネットワークフレームに含まれているＩＣＳユーザフレームを復元する手順と、着信優先度を規定した情報とを含み、着信側アクセス制御装置の機能として、前記内部の通信回線から入力されたＩＣＳネットワークフレーム及び前記変換表を基に、着信側ＩＣＳ論理端子を決定してＩＣＳユーザフレームを復元し、前記変換表の内部に含まれる前記着信優先度を規定した情報を基に前記復元されたＩＣＳユーザフレームを前記着信側ＩＣＳ論理端子に送出する順序を決定し、前記復元されたＩＣＳユーザフレームを前記決定された送出順序に従って前記着信側ＩＣＳ論理端子を経由して前記外部の通信回線に送出することにより、前記ＩＣＳユーザフレームの送出順序を制御することを特徴とするアクセス制御装置。
【請求項１８４】
変換表と、外部のＩＣＳユーザフレームが入出力する２以上のＩＣＳ論理端子とを含み、内部の通信回線と接続され、前記変換表はＩＣＳ論理端子識別情報を形成する情報及び発信優先度を規定した情報を含み、発信側アクセス制御装置の機能として、入力された外部のＩＣＳユーザフレーム内部のアドレス関連情報及び上位プロトコルがＴＣＰ乃至ＵＤＰである場合は、更にポート番号及び前記変換表を基に着信側ＩＣＳ論理端子識別情報を含む内部のＩＣＳネットワークフレームを形成し、内部のＩＣＳネットワークフレームの前記内部の通信回線への送出順序を決定し、前記ＩＣＳネットワークフレームを前記決定された送出順序に従って前記内部の通信回線に送出することにより、内部のＩＣＳネットワークフレームの送出順序を制御することを特徴とするアクセス制御装置。
【請求項１８５】
変換表と、外部のＩＣＳユーザフレームが入出力する２以上のＩＣＳ論理端子とを含み、前記ＩＣＳ論理端子は外部の通信回線と接続され、内部の通信回線と接続され、前記変換表は入力された内部のＩＣＳネットワークフレームを基に前記ＩＣＳネットワークフレームに含まれているＩＣＳユーザフレームを復元する手順及び着信優先度を規定した情報を含み、着信側アクセス制御装置の機能として、前記内部の通信回線から入力されたＩＣＳネットワークフレーム及び前記変換表を基に、着信側ＩＣＳ論理端子を決定してＩＣＳユーザフレームを復元し、前記復元されたＩＣＳユーザフレーム内部のアドレス関連情報及び上位プロトコルがＴＣＰ乃至ＵＤＰである場合は、更にポート番号及び前記変換表の内部に含まれる前記着信優先度を規定した情報を基に前記復元されたＩＣＳユーザフレームを前記着信側ＩＣＳ論理端子に送出する順序を決定し、前記復元されたＩＣＳユーザフレームを前記決定された送出順序に従って前記着信側ＩＣＳ論理端子を経由して前記外部の通信回線に送出することにより、前記ＩＣＳユーザフレームの送出順序を制御することを特徴とするアクセス制御装置。
【請求項１８６】
発信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケットと、前記発信優先度を規定した情報を基に、前記入力されたＩＰパケットの前記出力側の通信回線への送出順序を決定し、前記入力されたＩＰパケットを前記決定された送出順序に従って前記出力側の通信回線に送出することにより、前記入力されたＩＰパケットの送出順序を制御することを特徴とするアクセス制御装置。
【請求項１８７】
発信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケット内部のアドレス関連情報及び上位プロトコルがＴＣＰ乃至ＵＤＰである場合は、更にポート番号及び前記発信優先度を規定した情報を基に前記入力したＩＰパケットの前記出力側の通信回線への送出順序を決定し、前記入力されたＩＰパケットを前記決定された送出順序に従って前記出力側の通信回線に送出することにより、前記入力されたＩＰパケットの送出順序を制御することを特徴とするアクセス制御装置。
【請求項１８８】
アクセス制御装置は変換表及び外部のＩＣＳユーザフレームが入出力する２以上のＩＣＳ論理端子を含み、内部の通信回線と接続され、前記変換表はＩＣＳ論理端子識別情報を形成する情報及び発信優先度を規定した情報を含み、入力された外部のＩＣＳユーザフレーム及び前記変換表を基に着信側ＩＣＳ論理端子識別情報を含む内部のＩＣＳネットワークフレームを形成する工程と、前記変換表の内部に含まれる前記発信優先度を規定した情報を基に内部のＩＣＳネットワークフレームの前記内部の通信回線への送出順序を決定する工程と、前記ＩＣＳネットワークフレームを前記決定された送出順序に従って前記内部の通信回線に送出する工程とを備えたことを特徴とする発信側アクセス制御装置の制御方法。
【請求項１８９】
アクセス制御装置は変換表及び外部のＩＣＳユーザフレームが入出力する２以上のＩＣＳ論理端子を含み、内部の通信回線と接続され、前記変換表はＩＣＳ論理端子識別情報を形成する情報及び発信優先度を規定した情報を含み、入力された外部のＩＣＳユーザフレーム内部のアドレス関連情報及び上位プロトコルがＴＣＰ乃至ＵＤＰである場合は、更にポート番号及び前記変換表を基に着信側ＩＣＳ論理端子識別情報を含む内部のＩＣＳネットワークフレームを形成し、内部のＩＣＳネットワークフレームの前記内部の通信回線への送出順序を決定する工程と、前記ＩＣＳネットワークフレームを前記決定された送出順序に従って前記内部の通信回線に送出する工程とを備えたことを特徴とする発信側アクセス制御装置の制御方法。
【請求項１９０】
アクセス制御装置は変換表及び外部のＩＣＳネットワークフレームが入出力する２以上のＩＣＳ論理端子を含み、内部の通信回線と接続され、前記ＩＣＳ論理端子は外部の通信回線と接続され、前記変換表は入力された内部のＩＣＳネットワークフレームを基に前記ＩＣＳネットワークフレームに含まれているＩＣＳユーザフレームを復元する情報と、着信優先度を規定した情報とを含み、前記内部の通信回線から入力されたＩＣＳネットワークフレーム及び前記変換表を基にＩＣＳユーザフレームを復元する工程と、前記変換表の内部に含まれる前記着信優先度を規定した情報を基に前記復元されたＩＣＳユーザフレームを前記ＩＣＳ論理端子に送出する順序を決定する工程と、前記復元されたＩＣＳユーザフレームを前記決定された送出順序に従って前記ＩＣＳ論理端子を経由して前記外部の通信回線に送出する工程とを備えたことを特徴とする着信側アクセス制御装置の制御方法。
【請求項１９１】
アクセス制御装置は変換表及び外部のＩＣＳユーザフレームが入出力する２以上のＩＣＳ論理端子を含み、内部の通信回線と接続され、前記ＩＣＳ論理端子は外部の通信回線と接続され、前記変換表は入力された内部のＩＣＳネットワークフレームを基に前記ＩＣＳネットワークフレームに含まれているＩＣＳユーザフレームを復元する手順及び着信優先度を規定した情報を含み、前記内部の通信回線から入力されたＩＣＳネットワークフレーム及び前記変換表を基に着信側ＩＣＳ論理端子を決定してＩＣＳユーザフレームを復元する工程と、前記復元されたＩＣＳユーザフレームに含まれるＩＣＳユーザフレーム内部のアドレス関連情報及び上位プロトコルがＴＣＰ乃至ＵＤＰである場合は、更にポート番号及び前記変換表の内部に含まれる前記着信優先度を規定した情報を基に前記復元されたＩＣＳユーザフレームを前記着信側ＩＣＳ論理端子に送出する順序を決定する工程と、前記復元されたＩＣＳユーザフレームを前記決定された送出順序に従って前記着信側ＩＣＳ論理端子を経由して前記外部の通信回線に送出する工程とを備えたことを特徴とする着信側アクセス制御装置の制御方法。
【請求項１９２】
アクセス制御装置は発信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケット及び前記発信優先度を規定した情報を基に、前記入力されたＩＰパケットの前記出力側の通信回線への送出順序を決定する工程と、前記入力されたＩＰパケットを前記決定された送出順序に従って前記出力側の通信回線に送出する工程とを備えたことを特徴とするアクセス制御装置の制御方法。
【請求項１９３】
発信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケット内部のアドレス関連情報及び上位プロトコルがＴＣＰ乃至ＵＤＰである場合は、更にポート番号及び前記発信優先度を規定した情報を基に前記入力されたＩＰパケットの前記出力側の通信回線への送出順序を決定する工程と、前記入力されたＩＰパケットを前記決定された送出順序に従って前記出力側の通信回線に送出する工程とを備えたことを特徴とするアクセス制御装置の制御方法。
【請求項１９４】
２以上のアクセス制御装置を含み、発信側アクセス制御装置は、変換表と、外部のＩＣＳユーザフレームが入出力する２以上のＩＣＳ論理端子と、内部のＩＣＳネットワークフレームを送受信するための内部の通信回線とを含み、前記変換表はＩＣＳ論理端子識別情報を形成する情報及び発信優先度を規定した情報を含み、発信側アクセス制御装置が、入力された外部のＩＣＳユーザフレーム及び前記変換表を基に着信側ＩＣＳ論理端子識別情報を含む内部のＩＣＳネットワークフレームを形成し、前記変換表の内部に含まれる前記発信優先度を規定した情報を基に内部のＩＣＳネットワークフレームの前記内部の通信回線への送出順序を決定し、前記ＩＣＳネットワークフレームを前記決定された送出順序に従って前記内部の通信回線に送出することを特徴とするＩＰ通信網。
【請求項１９５】
２以上のアクセス制御装置を含み、発信側のアクセス制御装置は、変換表と、外部のＩＣＳユーザフレームが入出力する２以上のＩＣＳ論理端子と、内部のＩＣＳネットワークフレームを送受信するための内部の通信回線とを含み、前記変換表はＩＣＳ論理端子識別情報を形成する情報及び発信優先度を規定した情報を含み、入力された外部のＩＣＳユーザフレーム内部のアドレス関連情報及び上位プロトコルがＴＣＰ乃至ＵＤＰである場合は、更にポート番号及び前記変換表を基に着信側ＩＣＳ論理端子識別情報を含む内部のＩＣＳネットワークフレームを形成し、内部のＩＣＳネットワークフレームの前記内部の通信回線への送出順序を決定し、前記ＩＣＳネットワークフレームを前記決定された送出順序に従って前記内部の通信回線に送出することを特徴とするＩＰ通信網。
【請求項１９６】
２以上のアクセス制御装置を含み、着信側アクセス制御装置は、変換表と、外部のＩＣＳユーザフレームが入出力する２以上のＩＣＳ論理端子と、内部のＩＣＳネットワークフレームを送受信するための内部の通信回線とを含み、前記ＩＣＳ論理端子は外部の通信回線と接続され、前記変換表は入力された内部のＩＣＳネットワークフレームを基に、前記ＩＣＳネットワークフレームに含まれているＩＣＳユーザフレームを復元する手順及び着信優先度を規定した情報を含み、前記内部の通信回線から入力されたＩＣＳネットワークフレーム及び前記変換表を基に着信側ＩＣＳ論理端子を決定して前記ＩＣＳユーザフレームを復元し、前記変換表の内部に含まれる前記着信優先度を規定した情報を基に、前記復元されたＩＣＳユーザフレームを前記着信側ＩＣＳ論理端子に送出する順序を決定し、前記復元されたＩＣＳユーザフレームを前記決定された送出順序に従って前記着信側ＩＣＳ論理端子を経由して前記外部の通信回線に送出することを特徴とするＩＰ通信網。
【請求項１９７】
２以上のアクセス制御装置を含み、着信側アクセス制御装置は、変換表と、外部のＩＣＳユーザフレームが入出力する２以上のＩＣＳ論理端子と、内部のＩＣＳネットワークフレームを送受信するための内部の通信回線とを含み、前記ＩＣＳ論理端子は外部の通信回線と接続され、前記変換表は入力された内部のＩＣＳネットワークフレームを基に、前記ＩＣＳネットワークフレームに含まれているＩＣＳユーザフレームを復元する手順及び着信優先度を規定した情報を含み、前記内部の通信回線から入力したＩＣＳネットワークフレーム及び前記変換表を基に着信側ＩＣＳ論理端子を決定して前記ＩＣＳユーザフレームを復元し、前記復元されたＩＣＳユーザフレームに含まれるＩＣＳユーザフレーム内部のアドレス関連情報及び上位プロトコルがＴＣＰ乃至ＵＤＰである場合は、更にポート番号及び前記変換表の内部に含まれる着信優先度を規定した情報を基に前記復元されたＩＣＳユーザフレームを前記着信側ＩＣＳ論理端子に送出する順序を決定し、前記復元されたＩＣＳユーザフレームを前記決定された送出順序に従って前記着信側ＩＣＳ論理端子を経由して前記外部の通信回線に送出することを特徴とするＩＰ通信網。
【請求項１９８】
２以上のアクセス制御装置を含み、前記アクセス制御装置は発信優先度を規定した情報を含み、ＩＰパケットが入力する入力側の通信回線が接続された論理端子を２以上と、ＩＰパケットが出力する出力側の通信回線が接続された論理端子とを含み、前記入力側の通信回線を経由して入力側の論理端子から入力されたＩＰパケット及び前記発信優先度を規定した情報を基に、前記入力されたＩＰパケットの前記出力側の通信回線への送出順序を決定し、前記入力したＩＰパケットを前記決定された送出順序に従って前記出力側の通信回線に送出することを特徴とするＩＰ通信網。
【請求項１９９】
２以上のアクセス制御装置を含み、前記アクセス制御装置は発信優先度を規定した情報を含み、ＩＰパケットが入力する入力側の通信回線が接続された論理端子を２以上と、ＩＰパケットが出力する出力側の通信回線が接続された論理端子とを含み、前記入力側の通信回線を経由して入力側の論理端子から入力されたＩＰパケット内部のアドレス関連情報及び上位プロトコルがＴＣＰ乃至ＵＤＰである場合は、更にポート番号及び前記発信優先度を規定した情報を基に、前記入力されたＩＰパケットの前記出力側の通信回線への送出順序を決定し、前記入力されたＩＰパケットを前記決定された送出順序に従って前記出力側の通信回線に送出することを特徴とするＩＰ通信網。
【請求項２００】
ＩＰパケット内の宛先アドレス及び前記ＩＰパケットが入力する入力側の論理端子を基に、前記ＩＰパケットを送信すべき着信側論理端子を特定するための論理端子の識別情報を決定する工程と、前記決定された論理端子の識別情報を基に前記ＩＰパケットを前記特定された着信側論理端子に転送する工程と、前記特定された着信側論理端子から前記ＩＰパケットを送出する工程とを備えたことを特徴とする通信方法。
【請求項２０１】
発信側論理端子及び第１のＩＰパケットに付与された宛先アドレスを基に送信すべき着信側論理端子を決定し、前記決定された着信側論理端子を識別するアドレスを宛先アドレスとするＩＰへダーを形成し、前記形成されたＩＰへダー及び前記第１のＩＰパケットを基に、前記形成されたＩＰへダーがＩＰへダーとして付与された第２のＩＰパケットを形成する工程と、前記第２のＩＰパケットの宛先アドレスを基に前記第２のＩＰパケットを前記決定された着信側論理端子に送信する工程とを備えたことを特徴とする通信方法。
【請求項２０２】
前記ＩＰパケットを発信側において暗号化し、着信側において復号化するようになっている請求項２００又は２０１に記載の通信方法。
【請求項２０３】
ＩＰパケット内の宛先アドレス及び前記ＩＰパケットが入力する入力側の論理端子を基に、前記ＩＰパケットを送信すべき着信側論理端子を特定するための論理端子の識別情報を決定する機能と、前記決定された論理端子の識別情報を基に前記ＩＰパケットを前記特定された着信側論理端子に転送する機能と、前記特定された着信側論理端子から前記ＩＰパケットを送出する機能とを備えたことを特徴とするＩＰ通信網。
【請求項２０４】
発信側論理端子及び第１のＩＰパケットに付与された宛先アドレスを基に送信すべき着信側論理端子を決定し、前記決定された着信側論理端子を識別するアドレスを宛先アドレスとするＩＰへダーを形成し、前記形成されたＩＰへダー及び前記第１のＩＰパケットを基に、前記形成されたＩＰへダーがＩＰへダーとして付与された第２のＩＰパケットを形成する機能と、前記第２のＩＰパケットの宛先アドレスを基に前記第２のＩＰパケットを前記決定された着信側論理端子に送信する機能とを備えたことを特徴とするＩＰ通信網。
【請求項２０５】
前記ＩＰパケットを発信側において暗号化し、着信側において復号化するようになっている請求項２０３又は２０４に記載のＩＰ通信網。
【請求項２０６】
ＩＰパケット内の宛先アドレス及び前記ＩＰパケットが入力する入力側の論理端子を基に、前記ＩＰパケットを送信すべき着信側の論理端子を特定するための論理端子の識別情報を決定する機能と、前記決定された論理端子の識別情報を基に前記ＩＰパケットを前記特定された着信側の論理端子に転送する機能と、前記特定された着信側論理端子から前記ＩＰパケットを送出する機能とを備えたことを特徴とするアクセス制御装置。
【請求項２０７】
発信側論理端子及び第１のＩＰパケットに付与された宛先アドレスを基に送信すべき着信側論理端子を決定し、前記決定された着信側論理端子を識別するアドレスを宛先アドレスとするＩＰへダーを形成し、前記形成されたＩＰへダー及び前記第１のＩＰパケットを基に、前記形成されたＩＰへダーがＩＰへダーとして付与された第２のＩＰパケットを形成する機能と、前記第２のＩＰパケットの宛先アドレスを基に前記第２のＩＰパケットを前記決定された着信側論理端子に送信する機能とを備えたことを特徴とするアクセス制御装置。
【請求項２０８】
前記ＩＰパケットを発信側において暗号化し、着信側において復号化するようになっている
請求項２０６又は２０７に記載のアクセス制御装置。
【請求項２０９】
表及び２以上の論理端子を含み、前記表はＩＰパケットの少なくとも宛先アドレスを含む論理端子識別情報を備え、ＩＰパケットが論理端子を経由して入力され、前記ＩＰパケットが経由して入力した前記論理端子の識別情報と、前記ＩＰパケット内部に含まれる宛先アドレスとの２組が前記表により定まるときはＩＰパケットを送出する通信回線を決定し、前記ＩＰパケットを前記決定した通信回線に送出することを特徴とするＩＰパケットを転送するための装置。
【請求項２１０】
前記表の新しい要素として、少なくともＩＰパケットの宛先アドレスを含む論理端子識別情報の新規項目を作成し、前記新規項目をＩＰパケットを送出する通信回線の決定に用いるようになっている請求項２０９に記載のＩＰパケットを転送するための装置。
【請求項２１１】
着信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケットと、前記着信優先度を規定した情報を基に、前記入力されたＩＰパケットの前記出力側の通信回線への送出順序を決定し、前記入力されたＩＰパケットを前記決定された送出順序に従って前記出力側の通信回線に送出することにより、前記入力されたＩＰパケットの送出順序を制御することを特徴とするアクセス制御装置。
【請求項２１２】
着信優先度を規定した情報を含み、ＩＰパケットが入力する入力側の通信回線が接続された２以上の論理端子と、ＩＰパケットが出力する出力側の通信回線が接続された論理端子とを含み、前記入力側の通信回線を経由して入力側の論理端子から入力されたＩＰパケット内部のアドレス関連情報及び上位プロトコルがＴＣＰ乃至ＵＤＰである場合は、更にポート番号及び前記着信優先度を規定した情報を基に前記入力したＩＰパケットの前記出力側の通信回線への送出順序を決定し、前記入力されたＩＰパケットを前記決定された送出順序に従って前記出力側の通信回線に送出することにより、前記入力されたＩＰパケットの送出順序を制御することを特徴とするアクセス制御装置。
【請求項２１３】
表及び２以上の論理端子を含み、前記表は外部パケットの宛先アドレスを含む論理端子識別情報を備え、前記表は内部パケットの論理端子識別情報を形成する情報を含み、外部パケットがユーザ通信回線から論理端子を経由して発信側装置に入力され、前記発信側装置は、前記外部パケットが入力した前記論理端子の識別情報と、前記外部パケット内部に含まれる宛先アドレスとの２組が前記表により定まるときは、前記外部パケットを基に着信側論理端子識別情報を含む内部パケットを形成し、前記形成された内部パケットを送出する通信回線を決定して、前記形成された内部パケットを前記通信回線に送出することを特徴とするＩＰパケットを転送するための装置。
【請求項２１４】
前記表の新しい要素として、少なくともＩＰパケットの宛先アドレスを含む論理端子識別情報の新規項目を作成し、前記新規項目を通信回線の決定に用いるようになっている請求項２１３に記載のＩＰパケットを転送するための装置。